(57)【要約】  無線ネットワークにおける干渉を管理するための技法が説明される。一態様では主要な干渉を有するシナリオにおける操作を可能にするために、干渉管理用に干渉低減要求と干渉インジケータとが使用され得る。１つの様式では、端末は、指定された時間周波数リソース上におけるより低い干渉を要求する第１の基地局からの干渉低減要求を受信できる。この端末はまた、第２の基地局によって観測された干渉を伝達する干渉インジケータを受信することもできる。端末は、干渉低減要求と干渉インジケータに基づいて送信パワーを決定できる。例えば端末は、干渉低減要求（または干渉インジケータ）に基づいて最初の送信パワーを決定でき、また端末の送信パワーを取得するために干渉インジケータ（または干渉低減要求）に基づいて最初の送信パワーを調整できる。端末は、決定された送信パワーでサービス提供基地局にデータを送信できる。
2011518533.tif 000002
【特許請求の範囲】
【請求項１】
指定された時間周波数リソース上におけるより低い干渉を要求する第１の基地局からの干渉低減要求を受信することと、
第２の基地局によって観測された干渉を伝達する干渉インジケータを受信することと、
前記干渉低減要求と前記干渉インジケータに基づいて端末の送信パワーを決定することと、
を備える無線通信のための方法。
【請求項２】
前記端末の前記送信パワーを決定することは、
前記干渉低減要求に関する復号結果と、前記干渉低減要求の優先度レベルと、前記端末の優先度レベルと、前記第１の基地局から前記端末までの経路損失と、サービス提供基地局から前記端末までの経路損失と、前記第１の基地局の受信パワーまたは受信信号の品質と、前記端末のためのリソース割当てサイズと、前記端末の前記送信パワーのうちの少なくとも１つに基づいて前記干渉低減要求を順守するか棄却するかを決定することと、
前記干渉低減要求を順守すると決定した場合に前記干渉低減要求に基づいて前記端末の前記送信パワーを決定すること、
を備える、請求項１に記載の方法。
【請求項３】
前記端末の前記送信パワーを決定することは、
前記干渉インジケータに関する復号結果と、前記第２の基地局から前記端末までの経路損失と、サービス提供基地局から前記端末までの経路損失と、前記第２の基地局の受信パワーまたは受信信号の品質と、前記サービス提供基地局と前記第２の基地局のパワークラスと、前記サービス提供基地局と前記第２の基地局の提携タイプのうちの少なくとも１つに基づいて前記干渉インジケータを順守するか棄却するかを決定することと、
前記干渉インジケータを順守すると決定した場合に前記干渉インジケータに基づいて前記端末の前記送信パワーを決定すること、
を備える、請求項１に記載の方法。
【請求項４】
第１のパワークラスの基地局から受信された場合および前記端末が第２のパワークラスの基地局によってサービス提供される場合に前記干渉インジケータを棄却することと、
前記第２のパワークラスの基地局から受信された場合および前記端末が前記第１のパワークラスの基地局によってサービス提供される場合に、より大きな重要性またはより高い優先度を有する前記干渉インジケータを順守することと、
を更に備える、請求項１に記載の方法。
【請求項５】
前記端末の前記送信パワーを決定することは、
前記干渉低減要求に基づいて最初の送信パワーを決定することと、
前記端末の前記送信パワーを取得するために前記干渉インジケータに基づいて前記最初の送信パワーを調整することと、
を備える、請求項１に記載の方法。
【請求項６】
前記端末の前記送信パワーを決定することは、
前記干渉インジケータに基づいて最初の送信パワーを決定することと、
前記端末の前記送信パワーを取得するために前記干渉低減要求に基づいて前記最初の送信パワーを調整することと、
を備える、請求項１に記載の方法。
【請求項７】
前記端末の前記送信パワーを決定することは、
前記干渉低減要求に基づいて前記第１の基地局において前記指定された時間周波数リソースに関する目標干渉レベルを決定することと、
前記第１の基地局から前記端末までの経路損失を決定することと、
前記目標干渉レベルと前記経路損失に基づいて前記端末の前記送信パワーを決定することと、
を備える、請求項１に記載の方法。
【請求項８】
前記端末の前記送信パワーを決定することは、
前記干渉インジケータに基づいてバックオフ係数を決定することと、
更に前記バックオフ係数に基づいて前記端末の前記送信パワーを決定することと、
を更に備える、請求項７に記載の方法。
【請求項９】
前記端末の前記送信パワーを決定することは、現在の時間間隔に関する前記端末の送信パワーを取得するために前記干渉インジケータに基づいて前の時間間隔に関する前記端末の送信パワーを調整することを備える、請求項１に記載の方法。
【請求項１０】
前記端末の前記送信パワーを決定することは、
現在の時間間隔に関するパワーオフセット値を取得するために前記干渉インジケータに基づいて前の時間間隔に関するパワーオフセット値を調整することと、
前記現在の時間間隔に関する前記パワーオフセット値と基準パワーレベルに基づいて前記端末の前記送信パワーを決定することと、
を備える、請求項１に記載の方法。
【請求項１１】
前記端末の前記送信パワーを決定することは、
前記干渉低減要求と前記干渉インジケータのうちの少なくとも１つに基づいて最大送信パワーレベルと最小送信パワーレベルのうちの少なくとも１つを決定することと、
前記干渉インジケータまたは前記干渉低減要求に基づいて最初の送信パワーを決定することと、
前記端末の前記送信パワーを取得するために前記最大および最小送信パワーレベルの少なくとも１つに基づいて前記最初の送信パワーを限定することと、
を備える、請求項１に記載の方法。
【請求項１２】
前記干渉インジケータは、前記第２の基地局によって観測された干渉と、前記第２の基地局がオーバーロードになっているかどうかと、前記第２の基地局によってサービス提供される端末に起因する高い干渉についての事前通知のうちの少なくとも１つを伝達する、請求項１に記載の方法。
【請求項１３】
前記決定された送信パワーでサービス提供基地局にデータを送信することと、
前記干渉インジケータを順守または棄却するという決定に基づいて前記第２の基地局に関して指定されたリソース上で送信するか否かを決定することと、を更に備えており、
前記指定されたリソースは前記第２の基地局において制御された干渉または制御されない干渉を決定するために前記第２の基地局によって使用される、
請求項１に記載の方法。
【請求項１４】
前記第１および第２の基地局は同じ基地局である、請求項１に記載の方法。
【請求項１５】
指定された時間周波数リソース上におけるより低い干渉を要求する第１の基地局からの干渉低減要求を受信するための手段と、
第２の基地局によって観測された干渉を伝達する干渉インジケータを受信するための手段と、
前記干渉低減要求と前記干渉インジケータに基づいて端末の送信パワーを決定するための手段と、
を備える、無線通信のための装置。
【請求項１６】
前記端末の前記送信パワーを決定するための前記手段は、
前記干渉低減要求を順守するか棄却するかを決定するための手段と、
前記干渉インジケータを順守するか棄却するかを決定するための手段と、
前記干渉低減要求を順守すると決定した場合に前記干渉低減要求に基づいて、及び前記干渉インジケータを順守すると決定した場合に前記干渉インジケータに基づいて、前記端末の前記送信パワーを決定するための手段と、
を備える、請求項１５に記載の装置。
【請求項１７】
前記端末の前記送信パワーを決定するための前記手段は、
前記干渉低減要求に基づいて最初の送信パワーを決定するための手段と、
前記端末の前記送信パワーを取得するために前記干渉インジケータに基づいて前記最初の送信パワーを調整するための手段と、
を備える、請求項１５に記載の装置。
【請求項１８】
前記端末の前記送信パワーを決定するための前記手段は、
前記干渉インジケータに基づいて最初の送信パワーを決定するための手段と、
前記端末の前記送信パワーを取得するために前記干渉低減要求に基づいて前記最初の送信パワーを調整するための手段と、
を備える、請求項１５に記載の装置。
【請求項１９】
前記決定された送信パワーでサービス提供基地局にデータを送信するための手段と、
前記干渉インジケータを順守または棄却するという決定に基づいて前記第２の基地局に関して指定されたリソース上で送信するか否かを決定するための手段と、を更に備えており、
前記指定されたリソースは、前記第２の基地局において制御された干渉または制御されない干渉を決定するために前記第２の基地局によって使用される、
請求項１５に記載の装置。
【請求項２０】
指定された時間周波数リソース上におけるより低い干渉を要求する第１の基地局からの干渉低減要求を受信するように、第２の基地局によって観測された干渉を伝達する干渉インジケータを受信するように、そして前記干渉低減要求と前記干渉インジケータに基づいて端末の送信パワーを決定するように、構成された少なくとも１つのプロセッサを備える、無線通信のための装置。
【請求項２１】
前記少なくとも１つのプロセッサは、前記干渉低減要求を順守するか棄却するかを決定するように、前記干渉インジケータを順守するか棄却するかを決定するように、そして前記干渉低減要求を順守すると決定した場合に前記干渉低減要求に基づいて、及び前記干渉インジケータを順守すると決定した場合に前記干渉インジケータに基づいて、前記端末の前記送信パワーを決定するように、構成される、請求項２０に記載の装置。
【請求項２２】
前記少なくとも１つのプロセッサは、前記干渉低減要求に基づいて最初の送信パワーを決定するように、前記端末の前記送信パワーを取得するために前記干渉インジケータに基づいて前記最初の送信パワーを調整するように、構成される、請求項２０に記載の装置。
【請求項２３】
前記少なくとも１つのプロセッサは、前記干渉インジケータに基づいて最初の送信パワーを決定するように、及び前記端末の前記送信パワーを取得するために前記干渉低減要求に基づいて前記最初の送信パワーを調整するように、構成される、請求項２０に記載の装置。
【請求項２４】
前記少なくとも１つのプロセッサは、前記決定された送信パワーでサービス提供基地局にデータを送信するように、前記干渉インジケータを順守または棄却するという決定に基づいて前記第２の基地局に関して指定されたリソース上で送信するか否かを決定するように、構成されており、前記指定されたリソースは前記第２の基地局において制御された干渉または制御されない干渉を決定するために前記第２の基地局によって使用される、請求項２０に記載の装置。
【請求項２５】
少なくとも１つのコンピュータに、指定された時間周波数リソース上におけるより低い干渉を要求する第１の基地局からの干渉低減要求を受信させるためのコードと、
前記少なくとも１つのコンピュータに、第２の基地局によって観測された干渉を伝達する干渉インジケータを受信させるためのコードと、
前記少なくとも１つのコンピュータに、前記干渉低減要求と前記干渉インジケータに基づいて端末の送信パワーを決定させるためのコードと、
を備えるコンピュータ可読媒体を備えるコンピュータプログラム製品。
【請求項２６】
指定された時間周波数リソース上におけるより低い干渉を要求するために第１の基地局によって送信された干渉低減要求をサービス提供基地局において受信することと、
第２の基地局によって観測された干渉を伝達する干渉インジケータを前記サービス提供基地局において受信することと、
前記干渉低減要求と前記干渉インジケータに基づいて前記指定された時間周波数リソース上におけるデータ伝送のために端末をスケジュールすることと、
を備える無線通信のための方法。
【請求項２７】
前記干渉低減要求の優先度レベルと、前記第１の基地局から前記端末までの経路損失と、前記サービス提供基地局から前記端末までの経路損失と、前記端末のためのリソース割当てサイズと、前記端末の送信パワーと、前記サービス提供基地局における前記端末の受信信号品質のうちの少なくとも１つに基づいて前記干渉低減要求を順守するか棄却するかを決定することを更に備えており、前記端末は前記干渉低減要求を順守すると決定した場合に前記干渉低減要求に基づいてスケジュールされる、請求項２６に記載の方法。
【請求項２８】
前記第２の基地局から前記端末までの経路損失と、前記サービス提供基地局から前記端末までの経路損失と、前記サービス提供基地局と前記第２の基地局のパワークラスと、前記サービス提供基地局と前記第２の基地局の提携タイプのうちの少なくとも１つに基づいて前記干渉インジケータを順守するか棄却するかを決定することを備えており、前記端末は前記干渉低減要求を順守すると決定した場合に前記干渉低減要求に基づいてスケジュールされる、請求項２６に記載の方法。
【請求項２９】
前記指定された時間周波数リソース上でスケジュールされた前記端末に起因する予測干渉レベルを備える応答メッセージを前記第１の基地局に送信することを更に備える、請求項２６に記載の方法。
【請求項３０】
前記端末をスケジュールすることは、前記干渉低減要求と、前記端末のために前記サービス提供基地局によって保持された少なくとも１つの変数と、前記端末によって前記サービス提供基地局に報告された情報のうちの少なくとも１つに基づいて最初の送信パワーを決定することと、
前記端末の送信パワーを取得するために前記干渉インジケータに基づいて前記最初の送信パワーを調整することと、
を備える、請求項２６に記載の方法。
【請求項３１】
前記端末をスケジュールすることは、前記干渉インジケータと、前記端末のために前記サービス提供基地局によって保持された少なくとも１つの変数と、前記端末によって前記サービス提供基地局に報告された情報のうちの少なくとも１つに基づいて最初の送信パワーを決定することと、
前記端末の送信パワーを取得するために前記干渉低減要求に基づいて前記最初の送信パワーを調整することと、
を備える、請求項２６に記載の方法。
【請求項３２】
指定された時間周波数リソース上におけるより低い干渉を要求するために第１の基地局によって送信された干渉低減要求をサービス提供基地局において受信するための手段と、
第２の基地局によって観測された干渉を伝達する干渉インジケータを前記サービス提供基地局において受信するための手段と、
前記干渉低減要求と前記干渉インジケータに基づいて前記指定された時間周波数リソース上におけるデータ伝送のために端末をスケジュールするための手段と、
を備える、無線通信のための装置。
【請求項３３】
前記端末をスケジュールするための前記手段は、
前記干渉低減要求を順守するか棄却するかを決定するための手段と、
前記干渉インジケータを順守するか棄却するかを決定するための手段と、
前記干渉低減要求を順守すると決定した場合に前記干渉低減要求に基づいて、及び前記干渉インジケータを順守すると決定した場合に前記干渉インジケータに基づいて、前記端末をスケジュールするための手段と、
を備える、請求項３２に記載の装置。
【請求項３４】
前記指定された時間周波数リソース上でスケジュールされた前記端末に起因する予測干渉レベルを備える応答メッセージを前記第１の基地局に送信するための手段を更に備える、請求項３２に記載の装置。
【請求項３５】
前記端末をスケジュールするための前記手段は、
前記干渉低減要求と前記干渉インジケータのうちの少なくとも１つに基づいて最初の送信パワーを決定するための手段と、
前記端末の送信パワーを取得するために前記干渉インジケータと前記干渉インジケータのうちの少なくとも１つに基づいて前記最初の送信パワーを調整するための手段と、
を備える、請求項３２に記載の装置。
【請求項３６】
指定された時間周波数リソース上におけるより低い干渉を要求するために干渉低減要求を基地局において送信することと、
前記基地局によって観測された干渉を伝達する干渉インジケータを送信することと、
を備える無線通信のための方法。
【請求項３７】
前記干渉低減要求を送信することは、少なくとも１つの近隣セル内の少なくとも１つの干渉端末に前記干渉低減要求を無線で送信することを備えており、各干渉端末は前記干渉低減要求に基づいて端末の送信パワーを調整する、請求項３６に記載の方法。
【請求項３８】
前記干渉低減要求を送信することは、少なくとも１つの近隣基地局にバックホール経由で前記干渉低減要求を送信することを備えており、各近隣基地局は前記干渉低減要求に基づいて端末をスケジュールする、請求項３６に記載の方法。
【請求項３９】
前記干渉インジケータを送信することは、近隣セル内の端末に前記干渉インジケータを無線で送信することを備えており、各端末は前記干渉インジケータに基づいて端末の送信パワーを調整する、請求項３６に記載の方法。
【請求項４０】
前記干渉インジケータを送信することは、少なくとも１つの近隣基地局にバックホール経由で前記干渉インジケータを送信することを備えており、各近隣基地局は前記干渉インジケータに基づいて前記近隣基地局によってサービス提供される端末の送信パワーを制御する、請求項３６に記載の方法。
【請求項４１】
前記干渉低減要求を送信することは、前記基地局において前記指定された時間周波数リソースに関する目標干渉レベルに基づいて前記干渉低減要求の送信パワーを決定することと、
前記決定された送信パワーで前記干渉低減要求を送信することと、
を備える、請求項３６に記載の方法。
【請求項４２】
前記干渉低減要求は、前記指定された時間周波数リソースと、前記指定されたリソース上でスケジュールされる端末またはデータの優先度レベルと、前記基地局における前記指定されたリソースに関する目標干渉レベルと、前記指定されたリソース上でスケジュールされるべき前記端末に起因する前記指定されたリソース上における予測干渉レベルのうちの少なくとも１つを伝達する、請求項３６に記載の方法。
【請求項４３】
前記基地局において制御されない干渉に基づいて前記干渉インジケータを送信するか否かを決定することを更に備える、請求項３６に記載の方法。
【請求項４４】
前記基地局において前記制御されない干渉または制御された干渉を決定するために前記基地局によって使用される指定されたリソースの受信パワーを測定することと、
前記指定されたリソースの前記受信パワーに基づいて前記基地局において前記制御されない干渉を推定することと、
を更に備える、請求項４３に記載の方法。
【請求項４５】
近隣基地局からの干渉低減要求を受信することと、
前記干渉低減要求に基づいて近隣セル内の端末に起因する予測干渉レベルを前記基地局において決定することと、
前記予測干渉レベルに基づいて前記基地局において前記制御されない干渉を推定することと、
を更に備える、請求項４３に記載の方法。
【請求項４６】
基地局において、指定された時間周波数リソース上におけるより低い干渉を要求するために干渉低減要求を送信するための手段と、
前記基地局によって観測された干渉を伝達する干渉インジケータを送信するための手段と、
を備える無線通信のための装置。
【請求項４７】
前記干渉インジケータを送信するための前記手段は、
前記基地局において前記指定された時間周波数リソースに関する目標干渉レベルに基づいて前記干渉低減要求の送信パワーを決定するための手段と、
前記決定された送信パワーで前記干渉低減要求を送信するための手段と、
を備える、請求項４６に記載の装置。
【請求項４８】
前記基地局において制御されない干渉または制御された干渉を決定するために前記基地局によって使用される指定されたリソースの受信パワーを測定するための手段と、
前記指定されたリソースの前記受信パワーに基づいて前記基地局において前記制御されない干渉を推定するための手段と、
前記基地局において前記制御されない干渉に基づいて前記干渉インジケータを送信するか否かを決定するための手段と、
を更に備える、請求項４６に記載の装置。
【発明の詳細な説明】
【技術分野】
【０００１】
本開示は、一般的には通信に関し、またより具体的には無線通信ネットワークにおける干渉を軽減するための技法に関する。
【背景技術】
【０００２】
［関連出願に対する優先権］
本出願は、２００８年４月２２日に出願された「リソース利用メッセージ（ＲＵＭ）と他のセクタ干渉（ＯＳＩ）インジケータとの相互作用」（ＩＮＴＥＲＡＣＴＩＯＮＳ  ＯＦ  ＲＥＳＯＵＲＣＥ  ＵＴＩＬＩＺＡＴＩＯＮ  ＭＥＳＳＡＧＥＳ（ＲＵＭ）  ＡＮＤ  ＯＴＨＥＲ  ＳＥＣＴＯＲ  ＩＮＴＥＲＦＥＲＥＮＣＥ（ＯＳＩ）  ＩＮＤＩＣＡＴＩＯＮＳ）と題する仮米国出願第６１／０４７，０６３号と、２００８年１０月２４日に出願された「クラスタからの干渉推定およびクラスタ・ヌルパイロット」（ＯＵＴ−ＯＦ−ＣＬＵＳＴＥＲ  ＩＮＴＥＲＦＥＲＥＮＣＥ  ＥＳＴＩＭＡＴＩＯＮ  ＡＮＤ  ＣＬＵＳＴＥＲ  ＮＵＬＬ  ＰＩＬＯＴＳ）と題する米国特許仮出願第６１／１０８，４２９号と、に対して優先権を主張し、両出願はこれの譲渡人に譲渡され、また引例によって本明細書に組み込まれる。
【０００３】
無線通信ネットワークは、音声、ビデオ、パケットデータ、メッセージング、ブロードキャストなどといった種々の通信コンテンツを供給するために広く配備されている。これらの無線ネットワークは、利用可能なネットワークリソースを共用することによって多数のユーザをサポートすることができる多元接続ネットワークであり得る。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一搬送波ＦＤＭＡ（ＳＣ−ＦＤＭＡ）ネットワークを含む。
【０００４】
無線通信ネットワークは、多数の端末のための通信をサポートできる多数の基地局を含み得る。端末は、ダウンリンクとアップリンクを介して基地局と通信できる。ダウンリンク（または順方向リンク）は基地局から端末への通信リンクを指し、アップリンク（または逆方向リンク）は端末から基地局への通信リンクを指す。基地局は、端末からアップリンク上でデータを受信できる。端末からのデータ伝送は、近隣の基地局と通信している他の端末からの伝送に起因する干渉を観測できる。他の端末に起因する干渉は、性能を劣化させることができる。したがって当分野には無線ネットワークにおける干渉を管理するための技法の必要性が存在する。
【発明の概要】
【０００５】
本明細書では、無線ネットワークにおける干渉を管理するための技法が説明される。一態様では主要な干渉体を有するシナリオにおける操作を可能にする干渉管理のために、干渉低減要求および干渉インジケータが使用され得る。干渉低減要求は、時間周波数リソース上におけるデータ伝送を可能にするためにある幾つかの時間周波数リソース上におけるより低い干渉を要求するために送信され得るメッセージである。干渉インジケータは、基地局によって観測された干渉レベルを示すメッセージである。干渉インジケータは、測定された干渉値または測定された干渉のより粗い量子化を、例えば低い、高い、または極めて高い干渉レベルを示し得る２つまたは３つのレベルに伝達し得る。異なる時間周波数リソースに関して別々の干渉インジケータが生成され伝送され得る。干渉低減要求は、例えば主要干渉シナリオにおける特定のスケジューリング事例のために送信され得る。干渉インジケータは、定期的に送信されることが可能であって、如何なる特定のスケジューリング事例にも関連しないことが可能である。
【０００６】
１つの様式では、端末は、指定された時間周波数リソース上におけるより低い干渉を要求する第１の基地局からの干渉低減要求を受信できる。この端末はまた、第２の基地局によって観測された干渉を伝達する干渉インジケータを受信することもできる。端末は、以下に説明されるように干渉低減要求と干渉インジケータに基づいて端末の送信パワーを決定できる。端末は、決定された送信パワーでサービス提供基地局にデータを送信できる。端末はまた、干渉インジケータを順守(honor)または棄却(dismiss)するという決定に基づいて第２の基地局のために指定されたリソース上で送信するか否かを決定することもできる。指定されたリソースは、第２の基地局において制御された干渉または制御されない干渉を決定するために第２の基地局によって使用され得る。１つの様式では、サービス提供基地局は、指定された時間周波数リソース上におけるより低い干渉を要求するために第１の基地局によって送信された干渉低減要求を受信し得る。サービス提供基地局はまた、第２の基地局によって観測された干渉を伝達する干渉インジケータを受信することもできる。サービス提供基地局は、干渉低減要求と干渉インジケータに基づいて指定された時間周波数リソース上におけるデータ伝送のために端末をスケジュールできる。サービス提供基地局は、指定された時間周波数リソース上でスケジュールされた端末に起因する予測干渉レベルを備える応答メッセージを第１の基地局に送信できる。
【０００７】
１つの様式では基地局は、指定された時間周波数リソース上におけるより低い干渉を要求するために干渉低減要求を送信できる（例えば１つ以上の干渉する端末に無線で、および／または１つ以上の他の基地局にバックホール経由で）。基地局はまた、基地局によって観測された干渉を伝達する干渉インジケータを送信することもできる（例えば無線で、および／またはバックホール経由で）。基地局は、基地局のために指定されたリソースの受信パワーに基づいて、および／または他の基地局によってサービス提供される端末に起因する予測干渉レベルを備える応答メッセージに基づいて、推定され得る制御されない干渉に基づいて干渉インジケータを基地局において送信するべきか否かを決定できる。
【０００８】
本開示の種々の態様および特徴は、以下に更に詳細に説明される。
【図面の簡単な説明】
【０００９】
【図１】無線通信ネットワークを示す図である。
【図２】干渉軽減を有するアップリンクデータ伝送を示す図である。
【図３】例示的なダウンリンクおよびアップリンク伝送を示す図である。
【図４】端末によって実行されるプロセスを示す図である。
【図５】この端末のための装置を示す図である。
【図６】サービス提供基地局によって実行されるプロセスを示す図である。
【図７】このサービス提供基地局のための装置を示す図である。
【図８】近隣基地局によって実行されるプロセスを示す図である。
【図９】この近隣基地局のための装置を示す図である。
【図１０】端末および２つの基地局のブロック図である。
【発明を実施するための形態】
【００１０】
本明細書で説明される技法は、ＣＤＭＡ、ＴＤＭＡ、ＦＤＭＡ、ＯＦＤＭＡ、ＳＣ−ＦＤＭＡおよび他のネットワークといった種々の無線通信ネットワークに使用され得る。用語「ネットワーク」および「システム」は、しばしば相互交換可能に使用される。ＣＤＭＡネットワークは、ユニバーサル地上無線接続（ＵＴＲＡ）、ｃｄｍａ２０００などといった無線技術を実現し得る。ＵＴＲＡは、広帯域ＣＤＭＡ（ＷＣＤＭＡ）とＣＤＭＡの他の変形版とを含む。ｃｄｍａ２０００は、ＩＳ−２０００、ＩＳ−９５およびＩＳ−８５６規格をカバーする。ＴＤＭＡネットワークは、移動体通信用グローバルシステム（ＧＳＭ（登録商標））といった無線技術を実現し得る。ＯＦＤＭＡネットワークは、発展型ＵＴＲＡ（Ｅ−ＵＴＲＡ）、ウルトラモバイルブロードバンド(Ultra Mobile Broadband)(ＵＭＢ)、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ（登録商標）などといった無線技術を実現し得る。ＵＴＲＡおよびＥ−ＵＴＲＡは、ユニバーサル移動体電気通信システム（ＵＭＴＳ）の一部である。３ＧＰＰロングタームエボリューション(Long Term Evolution)（ＬＴＥ）およびＬＴＥ−アドバンスド（ＬＴＥ−Ａ）は、Ｅ−ＵＴＲＡを使用するＵＴＲＡの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と名づけられた組織からの文書に説明されている。ｃｄｍａ２０００およびＵＭＢは、「第３世代パートナーシッププロジェクト２」（３ＧＰＰ２）と名づけられた組織からの文書に説明されている。本明細書で説明される技法は、上記の無線ネットワークおよび無線技術ならびに他の無線ネットワークおよび無線技術に使用され得る。
【００１１】
図１は、多数の基地局と他のネットワークエンティティとを含み得る無線通信ネットワーク１００を示す。簡単にするために図１には、単に２つの基地局１２０および１２２と１つのネットワークコントローラ１３０とが示されている。基地局は、端末と通信する局であって、ノードＢ、発展型ノードＢ(evolved Node B)（ｅＮＢ）、アクセスポイントなどとも呼ばれ得る。各基地局は、特定の地理的エリアのための通信カバレッジを提供できる。３ＧＰＰでは用語「セル」は、基地局および／または基地局サブシステムのカバレッジエリアを指すことができ、基地局および／または基地局サブシステムはこのカバレッジエリアにサービス提供する。３ＧＰＰ２では用語「セクタ」または「セル・セクタ」は、基地局および／または基地局サブシステムのカバレッジエリアを指すことができ、基地局および／または基地局サブシステムはこのカバレッジエリアにサービス提供する。明確にするために以下の説明では、セルの３ＧＰＰコンセプトが使用される。
【００１２】
基地局は、マクロセル、ピコセル、フェムトセルなどのための通信カバレッジを提供できる。マクロセルは、比較的大きな地理的エリア（例えば半径が数キロメートル）をカバーでき、サービス加入している端末による無制限アクセスを可能にし得る。ピコセルは、比較的小さな地理的エリアをカバーでき、サービス加入している端末による無制限アクセスを可能にし得る。フェムトセルは、比較的小さな地理的エリア（例えば家庭内）をカバーでき、フェムトセルとの提携関係を有する端末（例えばこの家に住んでいるユーザの端末）による無制限アクセスを可能にし得る。マクロセルのための基地局は、マクロ基地局と呼ばれ得る。ピコセルのための基地局は、ピコ基地局と呼ばれ得る。フェムトセルのための基地局は、フェムト基地局またはホーム基地局と呼ばれ得る。異なるタイプの基地局は、異なる送信パワーレベル、異なるカバレッジエリア、および無線ネットワーク１００における干渉に対する異なる影響を有し得る。例えばマクロ基地局は、高い送信パワーレベル（例えば２０ワット）を有し得るが、ピコおよびフェムト基地局は、より低い送信パワーレベル（例えば１ワット）を有し得る。
【００１３】
無線ネットワーク１００はまた、中継局を有することもできる。中継局は、上流局からデータおよび／または他の情報の伝送を受信して、下流局にこれらのデータおよび／または他の情報の伝送を送信する局である。ネットワークコントローラ１３０は、１セットの基地局に連結できて、これらの基地局のために調整および制御することができる。ネットワークコントローラ１３０は、図１に示されるようにバックホール経由で基地局１２０および１２２と通信できる。基地局１２０および１２２は、例えば直接的または間接的無線または有線リンクを介して互いに通信することもできる。
【００１４】
端末は無線ネットワーク１００内の至るところに分散配置されることが可能であり、各端末はステーショナリ(stationary)またはモバイル(mobile)であり得る。簡単にするために図１には２つの端末１１０および１１２のみが示されている。端末はまた、アクセス端末（ＡＴ）、ユーザ装置（ＵＥ）、移動局（ＭＳ）、加入者ユニット、局などとも呼ばれ得る。端末は、携帯電話、パーソナルデジタルアシスタント（ＰＤＡ）、無線モデム、無線通信デバイス、ハンドヘルドデバイス、ラップトップコンピュータ、コードレス電話、無線ローカルループ（ＷＬＬ）局などであり得る。端末はまた、マクロ基地局、ピコ基地局、フェムト基地局などと通信することができる。図１では端末１１０は、サービス提供基地局１２０と通信でき、近隣基地局１２２に干渉を引き起こすことができる。サービス提供基地局は、ダウンリンクおよび／またはアップリンク上で端末にサービス提供するように指定された基地局である。端末１１２は基地局１２２またはいくつかの他の基地局と通信でき、基地局１２０に干渉を引き起こし得る。端末１１０は近隣基地局１２２にとって干渉端末であり得、端末１１２はサービス提供基地局１２０にとって干渉端末であり得る。
【００１５】
端末は、主要干渉シナリオにおいてサービス提供基地局と通信できる。ダウンリンク上で端末は、１つ以上の干渉基地局からの高い干渉を観測し得る。アップリンク上でサービス提供基地局は、１つ以上の干渉端末からの高い干渉を観測し得る。１つの端末がこの端末によって検知される多数の基地局のうちでより低い経路損失とより狭い配列(geometry)とを有する基地局に接続するシナリオである主要干渉シナリオは、範囲拡大に起因し得る。例えば端末は、より低い経路損失と狭い配列とを有するピコ基地局と通信でき、マクロ基地局からの高い干渉を観測できる。これは、端末のための所定のデータ転送速度を達成するように無線ネットワークに対する干渉を低減させるために望ましい可能性がある。１つの端末が制約されたアクセスを有する強い基地局に接続できず、無制限アクセスを有する弱い基地局に接続できるシナリオである主要干渉シナリオはまた、制約された提携に起因し得る。例えば端末は、フェムト基地局に接続できず、マクロ基地局に接続し得、それからフェムト基地局からの高い干渉を観測し得る。
【００１６】
一態様では、干渉低減要求および干渉インジケータは、主要干渉シナリオにおける操作を可能にするための干渉管理に使用され得る。干渉低減要求および干渉インジケータは、基地局によって異なる仕方で生成されることが可能であり、以下に説明されるように端末および基地局による異なる応答を引き起こし得る。干渉低減要求と干渉インジケータとの組合せは、より効果的な干渉管理を可能にできる。例えば干渉低減要求は、集中的なデータ、サービス品質（ＱｏＳ）要件を有するデータなどのために干渉を軽減する際により効果的であり得る。干渉インジケータは、他のタイプのデータのためにより効果的であり得る。
【００１７】
図２は、干渉低減要求による干渉軽減を有するアップリンクデータ伝送方式２００の様式を示す。端末１１０は、サービス提供基地局１２０に送信すべきデータを有し、リソース要求を送信し得る。リソース要求は、この要求の優先度、端末１１０によって送信すべきデータの量などを示し得る。サービス提供基地局１２０は、このリソース要求を受信でき、指定されたリソースと呼ばれ得るある幾つかの時間周波数リソース上における端末の送信機能を要求するために送信機能要求を端末１１０に送信できる。サービス提供基地局１２０はまた、指定されたリソース上における干渉を低減させるように干渉端末に依頼するための干渉低減要求を送信することもできる。サービス提供基地局１２０は、(i)近隣セル内の強干渉端末だけへのユニキャストメッセージとして、または(ii)すべての干渉端末へのブロードキャストメッセージとして、干渉低減要求を送信できる。各干渉端末は、(i)指定されたリソース上における伝送を回避または遮断することによって、(ii)指定されたリソース上における干渉端末の送信パワーを低減させることによって、または(iii)サービス提供基地局１２０から離れるように干渉端末の伝送を空間的に進路操作することによって、指定されたリソース上における干渉を低減させることができる。
【００１８】
端末１１０は、サービス提供基地局１２０からの送信機能要求を受信でき、また図２には１つだけが示されている近隣基地局からの干渉低減要求を受信することもできる。端末１１０は、以下に説明されるように近隣基地局からの干渉低減要求と干渉インジケータに基づいて指定されたリソース上でこの端末が使用できる送信パワーPTX_terminalを決定できる。それから端末１１０は、PpdpがPTX_terminalまたはPTX_terminalの拡大縮小バージョンに等しくあり得る場合、Ppdpというパワーレベルでパワー決定パイロットを送信できる。
【００１９】
一般に送信パワーは、送信パワーレベル、パワースペクトル密度（ＰＳＤ）などによって与えられ得る。送信パワーレベルは、伝送に使用され得る全送信パワーであり得る。ＰＳＤは、単位周波数当たりの送信パワーであり得る。送信パワーレベルとＰＳＤは、一定の帯域幅に関して同等であることができ、帯域幅が可変であるときには異なり得る。例えば所定の送信パワーレベルは所定の帯域幅に関して所定のＰＳＤという結果をもたらし得るが、帯域幅が２倍になるとこのＰＳＤの半分という結果になり得る。本明細書での説明では用語「送信パワー」は、この用語が使用される状況と所望の結果とに依存して送信パワーレベルおよび／またはＰＳＤを指すことができる。
【００２０】
サービス提供基地局１２０は、端末１１０ならびに干渉端末からのパワー決定パイロットを受信できる。サービス提供基地局１２０は、受信されたパイロットに基づいて指定されたリソースの受信信号品質を推定でき、またこの受信信号品質に基づいて端末１１０のための変調および符号化方式(modulation and coding scheme)（ＭＣＳ）を選択できる。サービス提供基地局１２０は、選択されたＭＣＳ、割り当てられたリソース、割り当てられたリソースに使用すべき送信パワーなどを含み得る割当てまたは授与メッセージを生成して送信することができる。割り当てられたリソースは、指定されたリソースのすべてまたはサブセットを備え得る。端末１１０は、割当てメッセージを受信し、選択されたＭＣＳにしたがってパケットを処理し、割り当てられたリソース上でパケット伝送を送信し得る。サービス提供基地局１２０は、端末１１０からのパケット伝送を受信し、受信された伝送を復号し、復号結果に基づいて肯定応答（ＡＣＫ）情報を決定し、このＡＣＫ情報を端末１１０に送信し得る。
【００２１】
図２は、干渉低減要求による干渉軽減を有するアップリンク上でのデータ伝送の例示的な様式を示す。干渉低減要求はまた、干渉軽減のために他の仕方でも使用され得る。
【００２２】
干渉低減要求は、時間周波数リソース上におけるデータ伝送を可能にするようにある幾つかの時間周波数リソース上におけるより低い干渉を要求するために送信され得るメッセージである。干渉低減要求はまた、リソース利用メッセージ（ＲＵＭ）とも呼ばれ得る。基地局１２０は、１つ以上の干渉端末に無線で、および／または１つ以上の近隣基地局にバックホール経由で干渉低減要求を送信できる。基地局１２０は、主要干渉シナリオにおけるデータ伝送をサポートする、セル間の公平性を改善する、などのために干渉低減要求を送信できる。例えば基地局１２０は、下記のうちの１つ以上を実行できる。
【００２３】
１．端末１１０による伝送時の干渉の許容可能な大きさを保証するために、端末１１０をスケジュールするに先立って近隣セル内の強干渉端末に無線で、および／または強干渉端末にサービス提供する近隣基地局にバックホール経由で、干渉低減要求を送信すること、
２．端末１１０が近隣基地局に引き起こす可能性のある高い干渉を近隣基地局に予め知らせるために、端末１１０をスケジュールするに先立ってバックホール経由で近隣基地局に干渉低減要求を送信すること、および
３．基地局１２０によってサービス提供される端末がＱｏＳ要件または公明性基準を満たすことについて不利にされるとき、または満たすことができないときはいつでも、近隣セル内の干渉端末に無線で、および／または近隣基地局にバックホール経由で、干渉低減要求を送信すること。
【００２４】
シナリオ１は、基地局１２０によってスケジュールされるべき端末に割り当てられ得るある幾つかの時間周波数リソース上における干渉を低減させるために使用され得る。もし干渉低減要求が無線で送信されるならば、近隣セル内の干渉端末は指定されたリソース上における干渉端末の送信パワーを低減させ得る。もし干渉低減要求がバックホール経由で送信されるならば、近隣基地局は指定されたリソース上における近隣基地局の端末のスケジューリングを回避し得るか、あるいは指定されたリソース上においてより低い送信パワーでこれらの端末をスケジュールし得る。
【００２５】
シナリオ２は、基地局１２０によってスケジュールされた端末に起因して起こり得る高い干渉について近隣基地局に警告するために使用され得る。これらの近隣基地局は指定されたリソース上におけるこれらの端末のスケジューリングを回避し得る。
【００２６】
シナリオ３は、ある幾つかの時間周波数リソース上における干渉を低減させるために使用されることが可能であり、それからこれは基地局１２０によってサービス提供される不利な(disadvantaged)端末に使用され得る。干渉低減要求は、基地局１２０が指定されたリソース上において、より小さな干渉を観測することを可能にできるので、不利な端末の受信信号品質およびＱｏＳを改善できる。
【００２７】
基地局１２０はまた、指定されたリソース上における干渉を低減させるために他のシナリオにおいても干渉低減要求を送信できる。基地局１２０は干渉低減要求を、ユニキャストメッセージで特定の干渉端末に、マルチキャストメッセージで１グループの端末（例えば特定のセル内の端末）に、あるいはブロードキャストメッセージで近隣セル内のすべての端末に、送信できる。
【００２８】
干渉低減要求は、干渉管理に有用であり得る種々のタイプの情報を含み得る。１つの様式では干渉低減要求は、下記のうちの１つ以上を含み得る。
【００２９】
・より低い干渉が要求される時間周波数リソース、
・指定されたリソース上でスケジュールされるべき端末またはデータの優先度レベル、
・この要求を送信する基地局に関する目標干渉レベル、
・指定されたリソース上における干渉端末のために提案された最大送信パワー、および
・指定されたリソース上でスケジュールされるべき端末によって引き起こされる可能性のある予測干渉レベル。
【００３０】
より低い干渉が要求される時間周波数リソース、すなわち指定されたリソースは、種々の仕方で提供され得る。１つの様式では指定されたリソースは、干渉低減要求によって明示的(explicitly)に伝達され得る。もう１つの様式では指定されたリソースは、干渉低減要求によって暗示的(implicitly)に伝達され得る。例えば干渉低減要求は、特定の時刻にある幾つかの周波数リソース上で送信され得る。指定されたリソースは、(i)干渉低減要求を送信するために使用される周波数リソースに関連するある幾つかの周波数リソースと(ii)干渉低減要求が送信されたときまでに決定された特定の時間間隔とをカバーできる。指定されたリソースはまた、他の仕方でも伝達され得る。指定されたリソースはまた、如何なる時間周波数範囲および如何なる精度によってでも定義され得る。
【００３１】
優先度レベルは、種々の仕方で種々の計量値に基づいて決定され得る。例えば優先度レベルは、相対的スループットまたは公平性（例えばベストエフォート型(best-effort type)のデータ）、待ち時間、絶対優先度（例えばＱｏＳ要件に基づいて決定される）などに関する計量値に基づいて決定され得る。
【００３２】
目標干渉レベルは、干渉端末によって基地局１２０に引き起こされ得る干渉の最大量を示し得る。目標干渉レベルは、全干渉パワー、干渉対熱雑音比（interference-over-thermal ratio）(IoT)などによって与えられ得る。ＩｏＴは、干渉ＰＳＤ対熱雑音ＰＳＤの比率である。１つの様式では目標干渉レベルは、干渉低減要求によって明示的に与えられ得る。もう１つの様式では目標干渉レベルは、干渉低減要求が無線で送信される場合にこの干渉低減要求の送信パワーによって暗示的に伝達され得る。例えば干渉低減要求の送信パワーは、下記のように設定され得る。
【数１】
2011518533.tif 000003
【００３３】
ここでItargetは基地局１２０における目標干渉レベルであり、PREFは基準レベルであり、またPTX_RUMは干渉低減要求の送信パワーである。
【００３４】
式（１）における量は対数的単位、例えばｄＢｍ、ｄＢｍ／ＨｚまたはｄＢで表される。式（１）に示されているように干渉低減要求の送信パワーは、目標干渉レベルに逆に関連し得る。干渉低減要求は、より低い目標干渉レベルに関して、より高い送信パワーで送信され、それからより遠くの干渉端末に到達し得る。干渉低減要求の送信パワーはまた、基地局１２０において端末１１０の受信パワーといった他のパラメータに基づいて決定されることもあり得る。
【００３５】
干渉端末は、例えば基地局１２０から受信されたパイロットに基づいて基地局１２０からこの端末までの経路損失を推定できる。それから干渉端末は、以下に説明されるように基地局１２０に引き起こされた干渉が目標干渉レベル以下になるように干渉端末の送信パワーを決定できる。
【００３６】
干渉端末のために提案された最大送信パワーは、種々の仕方で伝達され得る。１つの様式ではこの提案された最大送信パワーは、例えば特定の送信パワーレベルまたは特定の受信パワーレベルまたは特定のＰＳＤの形で干渉低減要求によって明示的に伝達され得る。それからこれにしたがって各干渉端末は、自分の送信パワーを限定できる。
【００３７】
指定されたリソース上でスケジュールされた端末によって引き起こされる可能性のある予測干渉レベルは、全干渉パワー、ＩｏＴなどの形で与えられ得る。予測干渉レベルは、スケジュールされた端末によって引き起こされる可能性のある実際の干渉の大きさであり得るか、あるいは引き起こされる可能性のある干渉の大きさの上限であり得る。
【００３８】
干渉低減要求はまた、異なるおよび／または更なる情報を含み得る。例えば干渉低減要求は、指定されたリソース上における干渉を低減させるために要求される特定の干渉端末または干渉端末のグループを識別できる。干渉低減要求はまた、（i）目標信号対雑音比（ＳＮＲ）または目標レート（例えば目標干渉レベルの代わりに）と、(ii)指定されたリソース上で目標干渉／ＳＮＲ／レートが達成された場合に（すなわち干渉端末が干渉低減要求を順守した場合に）達成される可能性のあるサービス性能／品質改善の度合いと、(iii)所望の性能改善全体のうちの一部に対応する（干渉端末の）送信パワーまたは（干渉端末からの）受信された干渉（これは干渉端末自身の性能に対する影響に基づいて干渉端末が異なるパワーレベルの中から選択するのを助け得る）と、(iV)他の類似の計量値と、を含み得る。
【００３９】
干渉インジケータは、基地局によって観測された干渉のレベルを示すメッセージである。１つの様式では干渉インジケータは、下記のうちの１つ以上を備え得る。
【００４０】
・基地局によって観測された干渉を伝達する他のセクタ干渉(other sector interference)（ＯＳＩ）インジケータ、
・基地局がオーバーロードになっているかどうかを示すオーバーロードインジケータ(overloaded indicator)、および
・指定されたリソース上でセルエッジ端末(cell-edge terminals)をスケジュールすることによって基地局が近隣基地局に引き起こす可能性のある高い干渉について予め知らせる高干渉インジケータ(high interference indicator)（ＨＩＩ）。
【００４１】
干渉インジケータは、基地局において、より密なＩｏＴ分布を達成するためにアップリンク上での干渉管理に使用され得る。これは、より正確なレート予測と改善されたリンクバジェット(link budget)とを可能にし得る。１つの様式では干渉インジケータは、全システム帯域幅に適用可能であり得る。もう１つの様式ではシステム帯域幅は多数のサブバンドに分割されることが可能であり、１つのサブバンドに関して１つの干渉インジケータが適用可能であり得る。基地局はまた干渉インジケータを定期的に送信でき、各干渉インジケータは特定の時間分に適用可能であり得る。一般に干渉インジケータは、如何なる周波数リソースも如何なる時間分もカバーし得るある幾つかの時間周波数リソースに適用可能であり得る。基地局１２０は、例えばある幾つかの時間周波数リソース上で基地局１２０によって測定された干渉に基づいて干渉インジケータを決定できる。測定された干渉は、ＩｏＴまたは他の何らかの計量値によって与えられ得る。基地局１２０は、測定精度を改善するために時間および／または周波数に亘って測定された干渉をフィルタリングすることができる。基地局１２０は、測定された干渉を１つ以上の干渉閾値と比較し、この比較結果に基づいて干渉インジケータを設定できる。１つの様式では単一の干渉閾値が使用されることが可能であり、この干渉インジケータは下記のように設定され得る。
【数２】
2011518533.tif 000004
【００４２】
ここでImeasは基地局１２０によって測定された干渉であり、Ithresholdは干渉閾値である。
【００４３】
もう１つの様式では２つの干渉閾値が使用されることが可能であり、干渉インジケータは下記のように設定され得る。
【数３】
2011518533.tif 000005
【００４４】
ここでIhigh_threshold及びIlow_thresholdは２つの干渉閾値である。
【００４５】
一般に干渉インジケータは、任意の数の干渉レベルを伝達するために任意のビット数を備え得る。測定された干渉の所望の量子化を達成するために適当な数の閾値が使用され得る。干渉インジケータはまた、如何なる範囲、如何なる精度の時間周波数リソースもカバーし得る。
【００４６】
干渉インジケータは、基地局によって観測された高い干渉を管理するために基地局によって使用され得る。基地局１２０は、ある幾つかの時間周波数リソース上で基地局１２０によって観測された高い干渉を示すために干渉インジケータ（例えばＯＳＩインジケータおよび／またはオーバーロードインジケータ）を送信できる。基地局１２０は干渉インジケータを、干渉端末に無線で、および／または干渉端末にサービス提供する近隣基地局にバックホール経由で、送信できる。干渉インジケータに応答して干渉端末は、基地局１２０によって観測された干渉が許容可能なレベルにまで下げられるように干渉端末の送信パワーを調整できる。基地局１２０と干渉端末および／または干渉端末のサービス提供基地局との間のこの相互作用は、基地局１２０における干渉の閉ループ制御を可能にし得る。この閉ループ制御は、較正誤差、ダウンリンクおよびアップリンク上の無相関フェージングおよび／またはダウンリンクとアップリンクとの間の静的または動的不均衡(imbalance)の他の原因に起因するリンク不均衡に対して、よりロバスト(robust)であり得る。リンク不均衡は、ダウンリンクおよびアップリンク上の異なるチャネル状態を指す。
【００４７】
基地局１２０は、干渉制御が必要とされない時間周波数リソースに関する干渉インジケータを送信しないように決定できる。これは、例えばアップリンク上で送信すべき限定されたデータまたは無データ、時間周波数リソースに関して受信された干渉低減要求、これらのリソースに関するコンテンションの損失などに起因して、時間周波数リソース上で如何なる端末もスケジュールしていない場合である。基地局１２０はまた、時間周波数リソースに関して干渉インジケータを送信できるが、干渉インジケータを生成する際に、より高い閾値（単数または複数）を使用できる。
【００４８】
基地局１２０は、近隣セル内の干渉端末に干渉インジケータを送信できる。ある幾つかの端末および／またはこれらの端末のサービス提供基地局は、干渉インジケータを順守する／に従うことが可能であり、それからこれらの端末は基地局１２０に「制御された」干渉を引き起こし得る。他の端末および／またはこれらの端末のサービス提供基地局は、干渉インジケータを棄却／無視することが可能であり、それからこれらの端末は基地局１２０に「制御されない」干渉を引き起こし得る。このような端末／サービス提供基地局の例は、基地局１２０から干渉インジケータを受信できない端末／基地局、またはある幾つかの時間周波数リソース上で干渉低減要求コンテンション(contention)を獲得した端末／基地局である。用語「制御された」および「制御されない」は、干渉インジケータによって干渉を制御するための基地局の能力を指す。基地局１２０における全干渉は、干渉インジケータを順守する端末からの制御された干渉と干渉インジケータを棄却する端末からの制御されない干渉との両者を含み得る。
【００４９】
基地局１２０は、ある幾つかの時間周波数リソース上の制御されない干渉が基地局１２０におけるこれらのリソース上の全干渉の主要な構成要素であるか、干渉閾値より大きいということを決定し得る。それから基地局１２０は、干渉インジケータが基地局１２０における高い干渉を低減させるのを助けない可能性があるので、これらの時間周波数リソースに関して干渉インジケータを送信しないように決定することが可能であり、またその代わりに干渉低減要求を順守する端末の送信パワーの不必要な減少を引き起こし得る。したがって基地局１２０において制御された干渉と制御されない干渉とを区別できることが望ましい場合がある。１つの様式では基地局１２０は、干渉測定に使用され得る時間周波数リソースを割り当てられ得る。これらのリソースは、ヌルパイロットリソース(null pilot resources)、指定されたリソース、干渉測定リソースなどと呼ばれ得る。基地局１２０は、全システム帯域幅に関して単一セットのヌルパイロットリソース、または異なるサブバンドに関して異なるセットのヌルパイロットリソースなどを有し得る。異なる基地局は、異なるオーバーラップしないヌルパイロットリソースを割り当てられ得る。
【００５０】
１つの様式では基地局１２０からの干渉インジケータを順守する端末は、基地局１２０のヌルパイロットリソース上で如何なる信号も送信しない。これらの端末は、ヌルパイロットリソースにマッピングされるデータ、制御情報および／またはパイロットの如何なる伝送もパンクチャ(puncturing)／抹消(deleting)することによってこれを達成し得る。干渉インジケータを棄却する端末は、通常の仕方でヌルパイロットリソース上において送信できる。基地局１２０は、ヌルパイロットリソースの受信パワーを測定することによって制御されない干渉を推定でき、精度を改善するために測定値をフィルタリングできる。基地局１２０はまた、他のリソースの受信パワーも測定でき、全干渉を推定するために測定値をフィルタリングできる。基地局１２０は、全干渉から制御されない干渉を引き去ることによって制御された干渉を決定できる。
【００５１】
もう１つの様式では基地局１２０からの干渉インジケータを順守する端末は、通常の仕方で基地局１２０のヌルパイロットリソース上で送信できる。干渉インジケータを棄却する端末は、ヌルパイロットリソース上での送信を回避できる。基地局１２０は、ヌルパイロットリソースの受信パワーに基づいて制御された干渉を推定でき、他のリソースの受信パワーに基づいて全干渉を推定でき、全干渉から制御された干渉を引き去ることによって制御されない干渉を決定できる。
【００５２】
異なるパワークラスの基地局によってサービス提供される端末からの干渉はまた、ヌルパイロットリソースを使用して区別され得る。例えば異なるヌルパイロットリソースは、各基地局において異なるパワークラスのために留保され得る。１つの様式では所定のパワークラスＡの基地局によってサービス提供される端末は、パワークラスＡに関するヌルパイロットリソース上での送信を回避できる。他のパワークラスの基地局によってサービス提供される端末は、パワークラスＡに関してヌルパイロットリソース上で送信できる。例えばマクロ基地局によってサービス提供される端末はマクロ基地局のためのヌルパイロットリソース上での送信を回避でき、ピコ基地局によってサービス提供される端末はピコ基地局のためのヌルパイロットリソース上での送信を回避できる。他のパワークラスの基地局によってサービス提供される端末に起因する干渉は、パワークラスＡに関するヌルパイロットリソースの受信パワーに基づいて決定され得る。もう１つの様式ではパワークラスＡの基地局によってサービス提供される端末は、パワークラスＡに関するヌルパイロットリソース上で送信できる。それからパワークラスＡの基地局によってサービス提供される端末に起因する干渉は、パワークラスＡに関するヌルパイロットリソースの受信パワーに基づいて決定され得る。
【００５３】
図３は、基地局１２０および１２２によるダウンリンク伝送と干渉軽減を有するアップリンク上でのデータ伝送のための端末１１０によるアップリンク伝送とを示す。各基地局は、基地局によって観測された干渉を伝達する干渉インジケータ３１０を定期的に送信し得る。サービス提供基地局１２０は、他のセル内の干渉端末からの高い干渉を観測でき、端末１１０をスケジュールするに先立って、指定されたリソースに関する干渉低減要求３２０を送信できる。干渉端末は、指定されたリソース上におけるこれら干渉端末の送信パワーを低減させることができる。端末１１０は、指定されたリソースのすべてまたはサブセットを備え得る割り当てられたリソース上でデータ３３０を送信できる。端末１１０は、この端末のデータと、近隣基地局の干渉インジケータが端末１１０によって順守される近隣基地局１２２のヌルパイロットリソース３４０上のパイロットと、をパンクチャできる。
【００５４】
端末１１０またはこの端末のサービス提供基地局１２０は、所与のアップリンク割当てに関する、またはある幾つかの時間周波数リソース上の、端末１１０の送信パワーを決定するために開ループ予測を使用できる。開ループ予測は、近隣基地局における干渉の大きさを予測することによって端末の送信パワーを決定する。端末１１０は、サービス提供基地局１２０と通信でき、干渉基地局であり得る近隣基地局１２２に干渉を引き起こし得る。近隣基地局１２２は、端末１１０によって順守され得る干渉低減要求を送信できる。それから端末１１０の送信パワーは、基地局１２２のための目標干渉レベルを満足させるように設定され得る。
【００５５】
１つの様式では端末１１０は、下記のように開ループ予測に基づいて端末の送信パワーを決定できる。
【数４】
2011518533.tif 000006
【００５６】
ここでItargetは干渉された基地局における目標干渉レベルであり、PLIBSは干渉された基地局から端末までの経路損失であり、Kbackoffはバックオフ係数であり、PTX_terminalは端末の送信パワーである。
【００５７】
式（４）における量は対数的単位、例えばｄＢｍ、ｄＢｍ／Ｈｚ、またはｄＢで表される。式（４）に示されているように端末１１０の送信パワーは、干渉された基地局に関する目標干渉レベルと経路損失との両者に比例し得る。より高い目標干渉レベルおよび／またはより大きな経路損失のために、より高い送信パワーが使用され得る。バックオフ係数は、式（４）において開ループ予測を精緻化するために使用され得る。
【００５８】
サービス提供基地局１２０はまた、基地局１２０における端末１１０の受信パワー、基地局１２０と干渉基地局との間のチャネル差異(channel difference)（ＣｈａｎＤｉｆｆ）、およびバックオフ係数といった種々のパラメータに基づいて端末１１０の送信パワーを決定できる。ＣｈａｎＤｉｆｆは次のようにもとめられ得る。
【数５】
2011518533.tif 000007
【００５９】
ここでPLSBSはサービス提供基地局から端末までの経路損失である。
【００６０】
端末１１０は、この基地局から受信されたパイロットまたは基準信号に基づいて各基地局に関する経路損失を決定でき、また長期(long-term)経路損失を取得するために経路損失を時間的に平均化し得る。端末１１０は、サービス提供基地局１２０に関する長期経路損失と干渉基地局に関する長期経路損失に基づいて干渉基地局に関するＣｈａｎＤｉｆｆを決定できる。端末１１０は、パイロット測定報告でＣｈａｎＤｉｆｆをサービス提供基地局１２０に送信できる。
【００６１】
１つの様式ではサービス提供基地局１２０は、下記のように開ループ予測に基づいて端末１１０の送信パワーを決定できる。
【数６】
2011518533.tif 000008
【００６２】
式（６）に示されるように端末１１０の送信パワーは、干渉基地局に関する目標干渉レベルと、端末１１０によって報告されたＣｈａｎＤｉｆｆと、端末１１０から受信されたパイロットに基づいてサービス提供基地局によって推定された経路損失と、バックオフ係数と、に基づいてサービス提供基地局１２０によって決定され得る。式（６）における開ループ予測は、アップリンクフェージングまたはリンク不均衡の他の原因を考慮することなく、主として端末１１０によるダウンリンク観測に基づくことができる。開ループ予測の精度を向上させるために、バックオフ係数は、リンク不平衡および／または干渉の他の原因に関して訂正するように干渉インジケータに基づいて閉ループ方式で調整され得る。
【００６３】
サービス提供基地局１２０は、端末１１０の送信パワーを計算するために種々の目標を使用できる。１つの様式では端末１１０の送信パワーは、熱雑音によって正規化され得る干渉基地局のための目標全干渉パワーに基づいて計算され得る。もう１つの様式では端末１１０の送信パワーは、干渉基地局のための目標ＩｏＴに基づいて計算され得る。この目標ＩｏＴは、平均ＩｏＴ目標、最大ＩｏＴ目標などを使用して計算され得る。更にもう１つの様式では端末１１０の送信パワーは、サービス提供基地局１２０に供給され得る干渉基地局における現在の干渉レベルに関しての干渉の目標増加分に基づいて計算され得る。
【００６４】
端末１１０は、近隣基地局からの干渉低減要求を受信できる。端末１１０は、干渉低減要求を順守するか棄却するかを決定できる。１つの様式では端末１１０は、この端末が首尾よく復号できるすべての干渉低減要求を順守できる。
【００６５】
もう１つの様式では端末１１０は、１つ以上の基準を満足させる干渉低減要求を順守できる。例えば端末１１０は、ＣｈａｎＤｉｆｆ閾値を超えるＣｈａｎＤｉｆｆを有する、またはキャリアオーバーサーマル(carrier-over-thermal)(ＣｏＴ）閾値を超えるキャリアオーバーサーマル（ＣｏＴ）を有する、またはキャリア対干渉比（Ｃ／Ｉ）閾値を超えるキャリア対干渉比（Ｃ／Ｉ）を有する、またはリソース閾値を超えない干渉低減要求によって指定されたリソースの量を有する、またはある特定の閾値を超える干渉低減要求の他の何らかの計量値を有する、各近隣基地局からの干渉低減要求を順守できる。端末１１０は、近隣基地局の干渉低減要求が端末１１０において極めて弱く受信される近隣基地局にとって、あるいは近隣基地局の指定されたリソースが端末１１０に割り当てられたリソースより遥かに大きい近隣基地局にとって、強い干渉体でないことが可能であり、この場合、端末１１０によって引き起こされた干渉は指定されたリソースと比較して狭帯域であり得る。
【００６６】
更にもう１つの様式では端末１１０は、(i)首尾よく復号される、および／または１つ以上の基準を満足させる、そして(ii)端末１１０の優先度レベルより高い優先度レベルを有する、干渉低減要求を順守できる。端末１１０の優先度レベルは、例えば指定されたリソース上で送信すべきデータのＱｏＳ要件および／または他の計量値に基づいて端末１１０によって決定され得る。端末１１０の優先度レベルはまた、サービス提供基地局１２０によっても決定されることが可能であり（例えば端末１１０の相対的スループットまたは公平性、端末１１０の待ち時間またはＱｏＳ要件などに基づいて）、また割当てメッセージを介して端末１１０に送信され得る。
【００６７】
更にもう１つの様式では端末１１０は、端末１１０の現在のリソース割当てに基づいて干渉低減要求を順守または棄却できる。例えば端末１１０は、端末の割り当てられたリソースが、ある特定の割当てサイズより小さい場合に干渉低減要求を棄却し得る。この様式は、(i)厳しい待ち時間またはＱｏＳ要件を有し得るＶｏＩＰのためのデータ、(ii)僅かな、および／または狭帯域の干渉を引き起こす可能性の高いデータ、(iii)前のＨＡＲＱ伝送を送信するために既に拡張されたリソースに起因してより大きな値を有し得る後のＨＡＲＱ伝送で送信されたデータ、および(iV)他のデータといったある幾つかのタイプのデータに有用であり得る。
【００６８】
更にもう１つの様式では端末１１０は、端末１１０の送信パワーまたは受信Ｃ／Ｉに基づいて干渉低減要求を順守または棄却できる。端末１１０は、この端末の送信パワーが送信パワー閾値より低い場合、またはサービス提供基地局１２０における端末の受信Ｃ／ＩがＣ／Ｉ閾値より低い場合に干渉低減要求を棄却できる。これらの閾値は、(i)端末１１０のＱｏＳ要件および／または割当てサイズ、(ii)干渉低減要求の優先度レベルまたは受信パワー、(iii)干渉低減要求からの情報、および／または(iV)他の情報、といった種々の要因に基づいて設定され得る。この様式は、近隣基地局に引き起こされる干渉の大きさを限定しながら、サービスのある一定の最小レベルを端末１１０のために保証できる。
【００６９】
端末１１０は、近隣基地局からの干渉インジケータを受信できる。端末１１０は、干渉インジケータを順守するか棄却するかを決定できる。１つの様式では端末１１０は、端末が首尾よく復号できるすべての干渉インジケータを順守できる。もう１つの様式では端末１１０は、１つ以上の基準を満足させる干渉インジケータを順守できる。例えば、端末１１０は、ＣｈａｎＤｉｆｆ閾値を超えるＣｈａｎＤｉｆｆを有する、またはＣｏＴ閾値を超えるＣｏＴを有する、またはＣ／Ｉ閾値を超えるＣ／Ｉを有する、またはある特定の閾値を超える近隣基地局の他の何らかの計量値を有する、各近隣基地局からの干渉インジケータを順守できる。
【００７０】
更にもう１つの様式では端末１１０は、端末１１０がマクロ基地局によってサービス提供されている場合にピコ基地局からの干渉インジケータを棄却できる。マクロ基地局は、多くの端末（マクロ端末と呼ばれ得る）にサービス提供でき、リソースのより小さな割当てを各マクロ端末に提供できる。これとは対照的にピコ基地局は、少数の端末（ピコ端末と呼ばれ得る）にサービス提供でき、リソースのより大きな割当てを各ピコ端末に提供できる。したがってマクロ端末は、ピコ端末に対して不利であり得る。この不利点は、マクロ端末がピコ基地局からの干渉インジケータを棄却することを可能にすることによってオフセットされ(offset)得る。マクロ基地局は、マクロ端末からの高い干渉が存在するときにピコ基地局がアップリンク上でピコ基地局の端末にサービス提供することを可能にするために、必要であればピコ基地局のためにある幾つかのリソースを留保することができる。一般に、ある特定のパワークラスの基地局によってサービス提供される端末は、１つ以上の他のパワークラスの基地局からの干渉インジケータを棄却することを可能にされ得る。
【００７１】
更にもう１つの様式では、端末１１０は、端末１１０がピコ基地局によってサービス提供されている場合に、より大きな重要性またはより高い優先度を有するマクロ基地局からの干渉インジケータを順守できる。ピコ端末は平均してより多くのリソースを割り当てられ得るが、またマクロ端末に対するピコ端末の平均はこの様式によってオフセットされ得る。一般に、ある一定のパワークラスの基地局によってサービス提供される端末は、より大きな重要性またはより高い優先度を有する１つ以上のパワークラスの基地局からの干渉インジケータを順守できる。
【００７２】
端末１１０は種々の仕方で、より大きな重要性またはより高い優先度を有するマクロ基地局からの干渉インジケータを順守できる。１つの様式では、端末１１０は干渉インジケータに応答して、より大きなステップサイズによって端末の送信パワーを調整できる。もう１つの様式では、端末１１０は、例えば端末１１０の応答がいかなる調整もせずに、より低いＣｈａｎＤｉｆｆを有するマクロ端末の応答に類似するようにマクロ基地局に関するＣｈａｎＤｉｆｆを調整することができる。更にもう１つの様式では、端末１１０は、干渉インジケータに基づく送信パワー調整のために、確率論的(stochastic)/確率的(probabilistic)アルゴリズムにおいて、より高い確率を使用し得る、および／またはより高いレベル表示を想定し得る。
【００７３】
更にもう１つの様式では、端末１１０は、端末１１０がフェムト基地局によってサービス提供されない場合にフェムト基地局からの干渉インジケータを棄却し得る。更にもう１つの様式では、端末１１０は、小ささが閾値によって定量化され得る小さな負のＣｈａｎＤｉｆｆ値を有する基地局からの干渉インジケータを棄却し得る。この小さな負のＣｈａｎＤｉｆｆ値は、端末１１０がリソース留保を介して基地局による干渉軽減に関与することになるということを示し得る。
【００７４】
端末１１０は、近隣基地局からの干渉低減要求および／または干渉インジケータを受信できる。端末１１０は、上記のように各干渉低減要求と各干渉インジケータとを順守するか棄却するかどうかを決定できる。端末１１０は、順守すべき干渉低減要求だけ、または順守すべき干渉インジケータだけ、あるいは順守すべき両者を有することができる。
【００７５】
端末１１０は、順守すべき干渉低減要求だけを有することができ、それからこれらの干渉低減要求に基づいて端末の送信パワーを決定できる。端末１１０は、上記のように各干渉低減要求の内容またはこの要求の受信パワーに基づいて各干渉低減要求に関する目標干渉レベルを決定できる。それから端末１１０は、例えば式（４）に示されたようにこの干渉低減要求に関する目標干渉レベルに基づいて各干渉低減要求のための端末の送信パワーを決定できる。端末１１０は、すべての干渉低減要求に関して計算された送信パワーの中から最小の送信パワーを選択できる。これは、端末１１０がすべての近隣基地局の目標干渉レベルを満足させることを可能にし得る。
【００７６】
端末１１０は、順守すべき干渉インジケータだけを有することができ、それから直接的にまたは間接的にこれらの干渉インジケータに基づいて端末の送信パワーを決定できる。明確にするために下記の説明は、各干渉インジケータが式（２）に示されたように定義され得る‘０’または‘１’という値を有すると仮定する。
【００７７】
１つの様式では、端末１１０は、下記のように１つの干渉インジケータに基づいて端末の送信パワーを調整できる。
【数７】
2011518533.tif 000009
【００７８】
ここでPTX_terminal(n)は時間間隔ｎにおける端末の送信パワーであり、Pup及びPdownはそれぞれ送信パワーに関するアップおよびダウンステップサイズである。
【００７９】
もう１つの様式では端末１１０は、下記のように１つの干渉インジケータに基づいてパワーオフセットを調整できる。
【数８】
2011518533.tif 000010
【００８０】
ここでΔP(n)は時間間隔nにおけるパワーオフセット値であり、ΔPupおよびΔPdownはそれぞれこのパワーオフセット値に関するアップおよびダウンステップサイズである。
【００８１】
そして、端末１１０は下記のように端末の送信パワーを決定できる。
【数９】
2011518533.tif 000011
【００８２】
ここでPref(n)は時間間隔nにおける基準パワーレベルである。この基準パワーレベルは基準信号またはパイロットのための送信パワーであって、サービス提供基地局１２０において目標Ｃ／Ｉを達成するために閉ループパワー制御によって調整され得る。それから端末１１０の送信パワーは、パワーオフセットによって基準パワーレベルからオフセットされ得る。
【００８３】
更にもう１つの様式では、端末１１０は、例えば式（７）に示された仕方と類似の仕方で、干渉インジケータに基づいて最大送信パワーレベルおよび／または最小送信パワーレベルを調整できる。それから端末１１０は、端末の送信パワーを最大および最小送信パワーレベルの範囲内にあるように制約できる。
【００８４】
更にもう１つの様式では、端末１１０は、例えば式（８）に示されたように干渉インジケータに基づいてバックオフ係数Kbackoffを調整できる。それから端末１１０は、例えば式（４）に示されたようにバックオフ係数によって端末の送信パワーを決定できる。
【００８５】
上記の様式では、端末１１０は、１つの干渉インジケータに基づいて決定論的(deterministic)な仕方でパワー関連値（例えば送信パワー、パワーオフセット値、最大および／または最小送信パワーレベル、またはバックオフ係数）を調整できる。この場合、各干渉インジケータは、干渉インジケータが‘１’または‘０’であるかどうかに依存して、アップまたはダウンいずれかのパワー関連値の調整という結果をもたらし得る。
【００８６】
他の様式では、端末１１０は、干渉インジケータに基づいて確率的仕方でパワー関連値を調整できる。端末１１０は、０と１．０との間に均等に分布するランダム値ｘを選択し、それからこのランダム値に基づいてパワー関連値を調整できる。例えば端末１１０は、下記のように確率的な仕方で端末の送信パワーを調整できる。
【数１０】
2011518533.tif 000012
【００８７】
ここでPrupは送信パワーを増加させる確率であり、Prdownは送信パワーを減少させる確率であり、「Ｉｎｆ  Ｉｎｄ」は干渉インジケータを示す。
【００８８】
PrupおよびPdownは固定値であり得るか、あるいは基地局によってブロードキャストされ得る。Prup及びPdownはまた、ＣｈａｎＤｉｆｆ値および／または現在の送信パワー、受信ＣｏＴ、または受信℃/Iに基づいて端末１１０によって計算され得る。端末１１０はまた、確率的仕方で他のパワー関連値も調整できる。
【００８９】
端末１１０は、１つ以上の近隣基地局から干渉インジケータを受信できる。１つの様式では、端末１１０は、最も小さいＣｈａｎＤｉｆｆを有する最も強い近隣基地局を識別できる。そして、端末１１０は、最も強い近隣基地局だけからの干渉インジケータに基づいて端末の送信パワーを調整できる。もう１つの様式では、端末１１０は、選択されたセット内のすべての基地局からの干渉インジケータに基づいて端末の送信パワーを調整できる。このセットは、(i)Ｍ≧１としてＭ個の最も強い近隣基地局、または(ii)ＣｈａｎＤｉｆｆ閾値を超えるＣｈａｎＤｉｆｆを有する近隣基地局、または(iii)経路損失閾値を超える経路損失を有する近隣基地局、または(iV)サービス提供基地局１２０によってブロードキャストされ得る近隣者リストに含まれる近隣基地局、または(V)他の仕方で選択された１つ以上の近隣基地局、を含み得る。端末１１０は、多数の近隣基地局からの干渉インジケータに基づいて種々の仕方で端末の送信パワーを調整できる。１つの様式では、端末１１０は、何らかの近隣基地局が高い干渉を観測した場合に端末の送信パワーを減少させ得る。もう１つの様式では、端末１１０は、各近隣基地局のために送信パワー調整を決定でき、それから全体的送信パワー調整を取得するためにすべての近隣基地局のために調整を組み合わせ得る。端末１１０はまた、他の仕方で多数の近隣基地局からの干渉インジケータに基づいて端末の送信パワーを調整できる。
【００９０】
端末１１０は、上記のように種々の仕方で干渉インジケータに基づいて端末の送信パワーを調整できる。端末１１０はまた、干渉インジケータ基づいて１つ以上の内部的に保持された値を調整できる。端末１１０は、端末の送信パワー、パワーオフセット、最大および／または最小送信パワーレベル、バックオフ係数、内部値(internal values)、および／または干渉インジケータに基づいて調整され得る他の値、をサービス提供基地局１２０に報告できる。サービス提供基地局１２０は、端末１１０の送信パワーを決定するためにこの報告された情報を使用でき、また割当てメッセージでこの送信パワーを伝達できる。
【００９１】
端末１１０は、順守すべき干渉低減要求と干渉インジケータとの両者を有することが可能であり、それからこれらの干渉低減要求と干渉インジケータに基づいて端末の送信パワーを決定できる。
【００９２】
１つの様式では、端末１１０は、干渉低減要求に基づいて送信するか否かを決定できる。もし送信すると決定すれば、端末１１０の送信パワーは種々の仕方で決定され得る。第１の様式では、端末１１０の送信パワーは、例えば送信パワーPTX_terminal(n)またはパワーオフセット値ΔP(n)の形でサービス提供基地局１２０によって割り当てられ得る。割り当てられた送信パワーは、近隣基地局から受信された干渉インジケータに基づいて調整され得る。第２の様式では端末１１０の最初の送信パワーは、例えば式（４）に示されたように開ループ予測に基づいて決定され得る。最初の送信パワーは、近隣基地局から受信された干渉インジケータに基づいて調整され得る。第３の様式では、端末１１０の送信パワーは、端末１１０によって保持され得る１つ以上の変数に基づいて最初に決定されることが可能であり、近隣基地局からの干渉インジケータに基づいて調整され得る。
【００９３】
もう１つの様式では、端末１１０の最初の送信パワーは、例えば式（４）に示されたように干渉低減要求に基づいて決定され得る。この最初の送信パワーは、同じ基地局および／または他の基地局からの干渉インジケータに基づいて、例えば上記の様式のいずれかに基づいて調整され得る。
【００９４】
更にもう１つの様式では、端末１１０の最初の送信パワーは、近隣基地局からの干渉インジケータ、開ループ予測、および／またはサービス提供基地局１２０からの明示的割当てに基づいて決定され得る。最初の送信パワーは、干渉低減要求に基づいて調整され得る。
【００９５】
更にもう１つの様式では、端末１１０に関する最大および／または最小送信パワーレベルは、干渉低減要求に基づいて決定され得る。端末１１０の送信パワーは、近隣基地局からの干渉インジケータ、開ループ予測、および／またはサービス提供基地局１２０からの明示的割当てに基づいて決定され得る。それから端末１１０の送信パワーは、最大および最小送信パワーレベルの範囲内にあるように制約され得る。最大および／または最小送信パワーレベルはまた、同じおよび／または他の基地局からの後続の干渉インジケータに基づいて調整され得る。
【００９６】
端末１１０は、端末１１０によって受信された干渉低減要求で送信されたパラメータ、これらの干渉低減要求に基づいて端末１１０によって計算された値、端末１１０の送信パワー、端末１１０に関する最大および／または最小送信パワーレベル、干渉インジケータに基づいて決定された内部値などといった情報を収集できる。端末１１０は、この収集された情報を物理チャネルおよび／または帯域内伝送を介してサービス提供基地局１２０に送信できる。サービス提供基地局１２０は、将来のアップリンク割当てにおける端末１１０の送信パワーを決定するためにこの情報を使用できる。
【００９７】
端末１１０は、近隣基地局の干渉インジケータが端末１１０によって順守されるすべての近隣基地局にヌルパイロットを送信できる。アップリンクではヌルパイロットは、端末によって指定された時間周波数リソース上の無伝送(non-transmission)である。もし端末１１０の送信パワーが干渉低減要求に基づいてリセットまたは調整されるならば、ヌルパイロットによって近隣基地局が干渉インジケータを介してこれらの基地局の観測された干渉を更に調整しやすくすることができる。
【００９８】
サービス提供基地局１２０は、１つ以上の近隣基地局からバックホール経由で干渉低減要求を受信できる。バックホール干渉低減要求は、(i)近隣基地局からの事前スケジューリング通知、(ii)近隣基地局に関する優先度および公明性関連情報、(iii)近隣基地局における指定されたリソースに関する目標干渉レベル、および／または(iV)他の情報を伝達できる。
【００９９】
サービス提供基地局１２０は、干渉低減要求の優先度レベル、指定されたリソース上でサービス提供基地局１２０によってスケジュールされるべき端末のＣｈａｎＤｉｆｆ値およびリソース割当てサイズ、端末の送信パワー、端末の受信Ｃ／Ｉなどといった種々の要因に基づいて各干渉低減要求を順守するか棄却するかどうかを決定できる。サービス提供基地局１２０は、端末１１０に関して上記に説明された様式のいずれかに基づいて各干渉低減要求を順守するか棄却するかどうかを決定できる。サービス提供基地局１２０は、各近隣基地局からの干渉低減要求を順守または棄却するという基地局の決定を示すために各近隣基地局にバックホール経由で応答メッセージを送信できる。
【０１００】
サービス提供基地局１２０はまた、これの端末をスケジュールするときに指定されたリソース上でサービス提供基地局１２０が各近隣基地局に引き起こし得る予測干渉レベルを伝達できる。この情報は、上記のように推定され得る制御された干渉と制御されない干渉とに分割され得る。この情報は、応答メッセージで、または応答メッセージとは異なるレートで、および／または異なるトリガーによって送信され得る別のメッセージで送信され得る。近隣基地局１２２は、干渉インジケータを送信するか否かを決定するために制御された干渉および制御されない干渉についての情報を使用できる。例えば近隣基地局１２２は、もしある幾つかの時間周波数リソース上の制御されない干渉が主要構成要素であれば、あるいは干渉閾値より大きければ、これらの時間周波数リソースに関して干渉インジケータを送信しないと決定できる。
【０１０１】
サービス提供基地局１２０は、１つ以上の近隣基地局からバックホール経由で干渉インジケータを受信できる。サービス提供基地局１２０は、端末１１０をスケジュールするときに近隣基地局からの干渉インジケータを順守するか棄却するかを決定できる。例えばサービス提供基地局１２０は、近隣基地局１２２に関する端末１１０のＣｈａｎＤｉｆｆ値、サービス提供基地局１２０と近隣基地局１２２とのパワークラス、サービス提供基地局および近隣基地局の提携タイプ（制約された、あるいは制約されない）などに基づいて近隣基地局１２２からの干渉インジケータを順守するか棄却するかを決定できる。
【０１０２】
サービス提供基地局１２０は、サービス提供基地局１２０によって順守されるべき干渉低減要求および／または干渉インジケータに基づいてこの基地局の端末をスケジュールすることができる。１つの様式ではサービス提供基地局１２０は、バックホール干渉低減要求に基づいて、指定されたリソース上で端末１１０をスケジュールするか否かを決定できる。そして、サービス提供基地局１２０は、もし端末１１０がスケジュールされれば種々の仕方で端末１１０の送信パワーを決定できる。第１の様式では、端末１１０の送信パワーは、例えば式（６）に示されたように開ループ予測によって決定されることが可能であり、更に近隣基地局からの干渉インジケータに基づいて調整され得る。第２の様式では、端末１１０の送信パワーは、端末１１０のためにサービス提供基地局１２０によって保持された１つ以上の変数に基づいて決定されることが可能であり、近隣基地局からの干渉インジケータに基づいて調整され得る。第３の様式では、端末１１０の送信パワーは、端末１１０によってサービス提供基地局１２０に報告された１つ以上の変数に基づいて決定され得る。報告された変数（単数または複数）は、端末１１０によって保持されて、近隣基地局からの干渉インジケータに基づいて調整され得る。
【０１０３】
もう１つの様式では、基地局１２０は、端末１１０からのフィードバック情報、近隣基地局からの干渉インジケータ、開ループ予測などといった他のメカニズムによって端末１１０の送信パワーを決定できる。それから基地局１２０は、例えば端末１１０に関して上記に説明された様式のいずれかにしたがってバックホール干渉低減要求に基づいて端末１１０の送信パワーを調整できる。
【０１０４】
基地局１２０は、バックホール干渉低減要求を近隣基地局に送信できる。１つの様式では、バックホール干渉低減要求は、基地局１２０によってサービス提供されている端末が指定されたリソース上の他の基地局に引き起こし得る予測干渉レベルについての情報を伝達し得る。予測干渉レベルは、開ループ予測に基づいて、また近隣基地局から基地局１２０によって受信された干渉低減要求にしたがって、決定され得る。予測干渉レベルは、制御された干渉レベルと制御されない干渉レベルとに分割され得る。もう１つの様式では、バックホール干渉低減要求は、指定されたリソース上の近隣基地局によってスケジュールされ得る干渉端末のための目標干渉レベルを伝達できる。
【０１０５】
基地局１２０はまた、指定されたリソース上の近隣基地局の端末をスケジュールすることによって近隣基地局が基地局１２０に引き起こし得る予測干渉レベルについての情報を受信することもできる。基地局１２０は、干渉インジケータを発行するか否かを決定するために、指定されたリソース上で観測された干渉の測定値と共にこの情報を使用できる。そしてまた、これらの干渉インジケータは、開ループ予測を精緻化するために、またリンク不均衡に関してまたは他の干渉の原因に関して調整するために、他のセル内の端末によってまたはこれらのサービス提供基地局によって使用され得る。
【０１０６】
基地局１２０はまた、指定されたリソース上の基地局１２０によってスケジュールされ得る端末のための目標干渉レベルを近隣基地局から受信することもできる。基地局１２０は、開ループ予測に基づいて、また近隣基地局からの目標干渉レベルにしたがって、指定されたリソース上の基地局１２０の端末の送信パワーを決定できる。基地局１２０は、近隣基地局における基地局１２０の端末に起因する予測干渉レベルを、これらの端末の送信パワーに基づいて決定できる。これらの予測干渉レベルは制御された干渉レベルと制御されない干渉レベルとに分割され得る。それから基地局１２０は、予測干渉レベルを伝達する応答メッセージを近隣基地局に送信できる。
【０１０７】
図４は、端末、例えば図１の端末１１０によって実行されるプロセス４００の様式を示す。この端末は、指定された時間周波数リソース上におけるより低い干渉を要求する第１の基地局から干渉低減要求を受信できる（ブロック４１２）。端末はまた、第２の基地局によって観測された干渉を伝達する干渉インジケータを受信することもできる（ブロック４１４）。第１および第２の基地局は、異なる基地局または同じ基地局であり得る。端末は、干渉低減要求と干渉インジケータに基づいて端末の送信パワーを決定できる（ブロック４１６）。
【０１０８】
干渉インジケータは、(i)第２の基地局によって観測された干渉を伝達するＯＳＩインジケータ、(ii)第２の基地局がオーバーロードになっているかどうかを伝達するオーバーロードインジケータ、(iii)第２の基地局によってサービス提供される端末に起因する高い干渉を予め知らせる高干渉インジケータ、および／または(iV)第２の基地局における干渉または負荷の他の何らかの表示、を備え得る。
【０１０９】
１つの様式では、端末は、干渉低減要求に関する復号結果、この干渉低減要求の優先度レベル、端末の優先度レベル、第１の基地局から端末までの経路損失、サービス提供基地局から端末までの経路損失、第１の基地局の受信パワーまたは受信信号の品質、端末のためのリソース割当てサイズ、端末の送信パワー、および／または他の情報、に基づいて干渉低減要求を順守するか棄却するかを決定できる。端末は、干渉低減要求を順守すると決定した場合、この干渉低減要求に基づいて端末の送信パワーを決定できる。１つの様式では、端末は、干渉インジケータに関する復号結果、第２の基地局から端末までの経路損失、サービス提供基地局から端末までの経路損失、第２の基地局の受信パワーまたは受信信号の品質、サービス提供基地局と第２の基地局とのパワークラス、サービス提供基地局と第２の基地局の提携タイプ（たとえば制約された、あるいは制約されない）、および／または他の情報、に基づいて干渉インジケータを順守するか棄却するかを決定できる。端末は、干渉インジケータを順守すると決定した場合、この干渉インジケータに基づいて端末の送信パワーを決定できる。１つの様式では、端末は、干渉インジケータが第１のパワークラスの基地局（例えばピコ基地局）から受信された場合、および端末が第２のパワークラスの基地局（例えばマクロ基地局）によってサービス提供される場合に干渉インジケータを棄却できる。端末は、干渉インジケータが第２のパワークラスの基地局（例えばマクロ基地局）から受信された場合、および端末が第１のパワークラスの基地局（例えばピコ基地局）によってサービス提供される場合に、より大きな重要性またはより高い優先度を有する干渉インジケータを順守できる。
【０１１０】
端末は、ブロック４１６において種々の仕方で端末の送信パワーを決定できる。１つの様式では端末は、干渉低減要求に基づいて第１の基地局における指定されたリソースに関する目標干渉レベルを決定できる。端末は、第１の基地局から端末までの経路損失を決定できる。それから端末は、例えば式（４）に示されたように目標干渉レベルと経路損失に基づいて端末の送信パワーを決定できる。端末はまた、干渉インジケータに基づいてバックオフ係数を決定することもでき、更にこのバックオフ係数に基づいて端末の送信パワーを決定できる。
【０１１１】
もう１つの様式では、端末は、例えば式（７）に示されたように現在の時間間隔に関する端末の送信パワーを取得するために干渉インジケータに基づいて前の時間間隔に関する端末の送信パワーを調整できる。更にもう１つの様式では、端末は、現在の時間間隔に関するパワーオフセット値を取得するために干渉インジケータに基づいて前の時間間隔に関するパワーオフセット値を調整できる。それから端末は、例えば式（８）および（９）に示されたように現在の時間間隔と基準パワーレベルとに関するパワーオフセット値に基づいて端末の送信パワーを決定できる。
【０１１２】
更にもう１つの様式では、端末は、干渉低減要求に基づいて最初の送信パワーを決定でき、また端末の送信パワーを取得するために干渉インジケータに基づいて最初の送信パワーを調整できる。更にもう１つの様式では、端末は干渉インジケータに基づいて最初の送信パワーを決定でき、また端末の送信パワーを取得するために干渉低減要求に基づいてこの最初の送信パワーを調整できる。更にもう１つの様式では端末は、干渉低減要求および／または干渉インジケータに基づいて最大送信パワーレベルおよび／または最小送信パワーレベルを決定できる。端末は干渉インジケータおよび／または干渉低減要求に基づいて最初の送信パワーを決定でき、また端末の送信パワーを取得するために最大および／または最小送信パワーレベルに基づいて最初の送信パワーを限定できる。端末はまた、他の仕方で端末の送信パワーを決定することもできる。
【０１１３】
端末は、決定された送信パワーでサービス提供基地局にデータを送信できる（ブロック４１８）。端末は、干渉インジケータを順守または棄却するという決定に基づいて第２の基地局に関して指定されたリソース上で送信するか否かを決定できる（ブロック４２０）。指定されたリソースは、第２の基地局において制御された干渉または制御されない干渉を決定するために第２の基地局によって使用されたヌルパイロットであり得る。
【０１１４】
図５は、端末のための装置５００の様式を示す。装置５００は、指定された時間周波数リソース上におけるより低い干渉を要求する第１の基地局から干渉低減要求を受信するためのモジュール５１２と、第２に基地局によって観測された干渉を伝達する干渉インジケータを受信するためのモジュール５１４と、干渉低減要求と干渉インジケータに基づいて端末の送信パワーを決定するためのモジュール５１６と、決定された送信パワーでサービス提供基地局にデータを送信するためのモジュール５１８と、干渉インジケータを順守または棄却するという決定に基づいて第２の基地局に関する指定されたリソース上で送信するか否かを決定するためのモジュール５２０と、を含む。
【０１１５】
図６は、サービス提供基地局によって実行されるプロセス６００の様式を示す。サービス提供基地局は、指定された時間周波数リソース上におけるより低い干渉を要求するために第１の基地局によって送信された干渉低減要求を受信できる（ブロック６１２）。サービス提供基地局はまた、第２の基地局によって観測された干渉を伝達する干渉インジケータを受信することもできる（ブロック６１４）。第１および第２の基地局は、異なる基地局または同じ基地局であり得る。サービス提供基地局は、干渉低減要求と干渉インジケータに基づいて指定された時間周波数リソース上におけるデータ伝送のために端末をスケジュールできる（ブロック６１６）。
【０１１６】
１つの様式では、サービス提供基地局は、干渉低減要求の優先度レベル、第１の基地局から端末までの経路損失、サービス提供基地局から端末までの経路損失、端末のためのリソース割当てサイズ、端末の送信パワー、サービス提供基地局における端末の受信信号品質、および／または他の情報、に基づいて干渉低減要求を順守するか棄却するかを決定できる。それからサービス提供基地局は、干渉低減要求を順守すると決定した場合に干渉低減要求に基づいて端末をスケジュールできる。
【０１１７】
１つの様式ではサービス提供基地局は、第２の基地局から端末までの経路損失、サービス提供基地局から端末までの経路損失、サービス提供基地局と第２の基地局とのパワークラス、サービス提供基地局と第２の基地局の提携タイプ、および／または他の情報、に基づいて干渉インジケータを順守するか棄却するかを決定できる。サービス提供基地局は、干渉インジケータを順守すると決定した場合に干渉インジケータに基づいて端末をスケジュールできる。
【０１１８】
ブロック６１６の１つの様式では、サービス提供基地局は、干渉低減要求、端末のためにサービス提供基地局によって保持された少なくとも１つの変数、および／または端末によってサービス提供基地局に報告された情報、に基づいて最初の送信パワーを決定できる。それからサービス提供基地局は、端末の送信パワーを取得するために干渉インジケータに基づいて最初の送信パワーを調整できる。もう１つの様式では、サービス提供基地局は、干渉インジケータ、端末のためにサービス提供基地局によって保持された少なくとも１つの変数、および／または端末によってサービス提供基地局に報告された情報、に基づいて最初の送信パワーを決定できる。そして、サービス提供基地局は、端末の送信パワーを取得するために干渉低減要求に基づいて最初の送信パワーを調整できる。サービス提供基地局はまた、他の仕方でも端末の送信パワーを決定することもできる。サービス提供基地局は、指定された時間周波数リソース上でスケジュールされた端末に起因する予測干渉レベルを備える応答メッセージを第１の基地局に送信できる（ブロック６１８）。
【０１１９】
図７は、サービス提供基地局のための装置７００の様式を示す。装置７００は、指定された時間周波数リソース上におけるより低い干渉を要求するために第１の基地局によって送信された干渉低減要求をサービス提供基地局において受信するためのモジュール７１２と、第２の基地局によって観測された干渉を伝達する干渉インジケータをサービス提供基地局において受信するためのモジュール７１４と、干渉低減要求と干渉インジケータに基づいて指定された時間周波数リソース上におけるデータ伝送のために端末をスケジュールするためのモジュール７１６と、指定された時間周波数リソース上でスケジュールされた端末に起因する予測干渉レベルを備える応答メッセージを第１の基地局に送信するためのモジュール７１８と、を含む。
【０１２０】
図８は、干渉軽減のために基地局によって実行されるプロセス８００の様式を示す。基地局は、指定された時間周波数リソース上におけるより低い干渉を要求するために干渉低減要求を送信できる（ブロック８１２）。基地局は、少なくとも１つの近隣セル内の少なくとも１つの干渉端末に無線で干渉低減要求を送信できる。各干渉端末は、干渉低減要求に基づいて端末の送信パワーを調整できる。代替としてまたは更に、基地局は、少なくとも１つの近隣基地局にバックホール経由で干渉低減要求を送信できる。各近隣基地局は、干渉低減要求に基づいてこの基地局の端末をスケジュールできる。
【０１２１】
干渉低減要求は、指定された時間周波数リソース、指定されたリソース上でスケジュールされるべき端末またはデータの優先度レベル、基地局における指定されたリソースに関する目標干渉レベル、指定されたリソース上でスケジュールされるべき端末に起因する指定されたリソース上における予測干渉レベル、および／または他の情報、を伝達できる。無線伝送の１つの様式では、基地局は、例えば式（１）に示されたように、基地局において指定された時間周波数リソースに関する目標干渉レベルに基づいて干渉低減要求の送信パワーを決定できる。それから基地局は、決定された送信パワーで干渉低減要求を送信できる。
【０１２２】
基地局はまた、基地局によって観測された干渉を伝達する干渉インジケータを送信することもできる（ブロック８１４）。基地局は、近隣セル内の端末に無線で干渉インジケータを送信できる。各端末は、干渉インジケータに基づいて端末の送信パワーを調整できる。代替として、または更に、基地局は、少なくとも１つの近隣基地局にバックホール経由で干渉インジケータを送信できる。各近隣基地局は、干渉インジケータに基づいてこの基地局の端末の送信パワーを制御できる。
【０１２３】
基地局は、基地局における制御されない干渉に基づいて干渉インジケータを送信するか否かを決定できる。１つの様式では、基地局は、指定されたリソース上で送信された基地局からの干渉インジケータを端末が順守するか棄却するかに依存して、制御されない干渉または制御された干渉を決定するために基地局によって使用される指定されたリソースの受信パワーを測定できる。それから基地局は、指定されたリソースの受信パワーに基づいて基地局における制御されない干渉を推定できる。もう１つの様式では、基地局は、近隣基地局からの干渉低減要求を受信でき、またこれらの干渉低減要求から、近隣セル内の端末に起因する基地局における予測干渉レベルを決定できる。基地局は、予測干渉レベルに基づいて基地局における制御されない干渉を推定できる。
【０１２４】
図９は、基地局の装置９００の様式を示す。装置９００は、指定された時間周波数リソース上におけるより低い干渉を要求するために干渉低減要求を基地局において送信するためのモジュール９１２と、基地局によって観測された干渉を伝達する干渉インジケータを送信するためのモジュール９１４と、を含む。
【０１２５】
図５、７および９のモジュールは、プロセッサ、電子デバイス、ハードウェアデバイス、電子部品、論理回路、メモリ、ソフトウェアコード、ファームウェアコードなど、あるいはこれらの任意の組合せを備え得る。
【０１２６】
図１０は、端末１１０、サービス提供基地局１２０および近隣基地局１２２の様式のブロック図を示す。サービス提供基地局１２０において送信プロセッサ１０１４ａは、データソース１０１２ａからデータを、コントローラ／プロセッサ１０３０ａから制御情報（例えば干渉低減要求、干渉インジケータなど）を、そしてスケジューラ１０３４ａからスケジューリング情報（例えば割当て／授与メッセージ）を受信できる。プロセッサ１０１４ａは、データシンボルと制御シンボルとをそれぞれ取得するためにデータおよび他の情報を処理（例えば符号化および変調）できる。プロセッサ１０１４ａはまた、パイロットシンボルも生成することもできる。プロセッサ１０１４ａは、（例えばＯＦＤＭ、ＣＤＭＡなどに関する）データシンボル、制御シンボル、およびパイロットシンボルを処理でき、また出力サンプルを供給できる。送信機（ＴＭＴＲ）１０１６ａは、出力サンプルを調整（例えばアナログに変換、増幅、フィルタリング、およびアップコンバート）することができ、またアンテナ１０２０ａを介して送信され得るダウンリンク信号を生成できる。
【０１２７】
同様に近隣基地局１２２は、基地局１２２によってサービス提供されている端末のためにデータ、制御情報、およびスケジューリング情報を処理できる。データ、制御・スケジューリング情報、およびパイロットは、送信プロセッサ１０１４ｂによって処理され、送信機１０１６ｂによって調整され、アンテナ１０２０ｂを介して送信され得る。
【０１２８】
端末１１０においてアンテナ１０５２は、基地局１２０、１２２および他の基地局からのダウンリンク信号を受信できる。受信機（ＲＣＶＲ）１０５４は、アンテナ１０５２からの受信信号を調整（例えばフィルタリング、増幅、ダウンコンバート、およびディジタル化）でき、入力サンプルを供給し得る。受信プロセッサ１０５６は、（例えばＯＦＤＭ、ＣＤＭＡなどに関する）入力サンプルを処理し、検出されたシンボルを供給し得る。プロセッサ１０５６は更に、検出されたシンボルを処理（例えば復調および復号）し、端末１１０に関する復号データをデータシンク１０５８に供給し、復号された制御情報とスケジューリング情報とをコントローラ／プロセッサ１０７０に供給できる。
【０１２９】
アップリンクでは送信プロセッサ１０８２は、データソース１０８０からのデータとコントローラ／プロセッサ１０７０からの制御情報（例えばリソース要求）とを受信して処理し、出力サンプルを供給することができる。送信機１０８４は、出力サンプルを調整し、アンテナ１０５２を介して送信され得るアップリンク信号を生成することができる。各基地局において端末１１０および他の端末からのアップリンク信号は、アンテナ１０２０によって受信され、受信機１０４２によって調整され、そして受信プロセッサ１０４４によって処理され得る。プロセッサ１０４４は、復号されたデータをデータシンク１０４６に、復号された制御情報をコントローラ／プロセッサ１０３０に供給できる。
【０１３０】
コントローラ／プロセッサ１０３０ａ、１０３０ｂおよび１０７０はそれぞれ、基地局１２０、１２２および端末１１０における動作を指示し得る。端末１１０におけるプロセッサ１０７０および他のモジュールは、図４のプロセス４００および／または本明細書で説明された技法に関する他のプロセスを実行または指示し得る。各基地局におけるプロセッサ１０３０および／または他のモジュールは、図６のプロセス６００、図８のプロセス８００および／または本明細書で説明された技法に関する他のプロセスを実行または指示し得る。メモリ１０３２ａ、１０３２ｂおよび１０７２はそれぞれ、基地局１２０、１２２および端末１１０のためのデータおよびプログラムコードを記憶できる。スケジューラ１０３４ａおよび１０３４ｂはそれぞれ、基地局１２０および１２２との通信のために端末をスケジュールでき、スケジュールされた端末にリソースを割り当てることができる。
【０１３１】
当業者であれば、情報および信号が種々の異なる技術および技法の如何なるものを使用しても表され得ることを理解するであろう。例えば上記の説明全体を通して参照され得るデータ、命令、コマンド、情報、信号、ビット、シンボルおよびチップは、電圧、電流、電磁波、磁界または磁気粒子、光場または光粒子、あるいはこれらの任意の組合せによって表され得る。
【０１３２】
当業者は更に、本開示に関連して説明された種々の例示的な論理ブロック、モジュール、回路、およびアルゴリズムステップが電子ハードウェア、コンピュータソフトウェア、または両者の組合せとして実現され得ることを理解するであろう。ハードウェアとソフトウェアとのこの相互交換可能性を明確に説明するために、種々の例示的な構成要素、ブロック、モジュール、回路、およびステップが、一般にこれらの機能の観点から上記に説明されてきた。このような機能がハードウェアまたはソフトウェアとして実現されるかどうかは、システム全体に課せられた特定のアプリケーションおよび様式の制約事項に依存している。当業者は各特定のアプリケーションのために種々の仕方で上述の機能を実現し得るが、このような実現決定は本開示の範囲からの逸脱を引き起こすものと解釈されるべきではない。
【０１３３】
本開示に関連して説明された種々の例示的な論理ブロック、モジュールおよび回路は、汎用プロセッサ、ディジタル信号プロセッサ（ＤＳＰ）、特定用途向け集積回路（ＡＳＩＣ）、フィールドプログラマブルゲートアレイ(field programmable gate array)（ＦＰＧＡ）または他のプログラマブル論理デバイス、個別ゲートまたはトランジスタ論理、個別ハードウェアコンポーネント、または本明細書で説明された機能を実行するようにデザインされたこれらの任意の組合せによって実現または実行され得る。汎用プロセッサはマイクロプロセッサであり得るが、代替としてプロセッサは任意の従来のプロセッサ、コントローラ、マイクロコントローラ、または状態機械であり得る。プロセッサはまた、コンピューティングデバイスの組合せとして、例えば１つのＤＳＰと１つのマイクロプロセッサとの組合せ、複数のマイクロプロセッサ、ＤＳＰコアと連結した１つ以上のマイクロプロセッサ、または任意の他のこのような組合せとしても実現され得る。
【０１３４】
本開示と関連して説明された方法またはアルゴリズムのステップは、直接的にハードウェアにおいて、またはプロセッサによって実行されるソフトウェアモジュールにおいて、またはこれら２つの組合せにおいて、具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当分野で知られた他の任意の形の記憶媒体、に常駐できる。例示的な記憶媒体は、プロセッサがこの記憶媒体から情報を読み取り、記憶媒体に情報を書き込むことができるように、プロセッサに連結される。代替として、記憶媒体は、プロセッサと一体化され得る。プロセッサと記憶媒体は、ＡＳＩＣ内に常駐できる。ＡＳＩＣはユーザ端末内に常駐できる。代替としてプロセッサと記憶媒体は、ユーザ端末内に個別部品として常駐できる。
【０１３５】
１つ以上の例示的な様式では、上記の機能は、ハードウェア、ソフトウェア、ファームウェア、またはこれらの任意の組合せにおいて実現され得る。ソフトウェアで実現された場合これらの機能は、１つ以上の命令またはコードとしてコンピュータ可読媒体に記憶され、あるいは送信され得る。コンピュータ可読媒体は、１つの場所から他の場所へのコンピュータプログラムの転送を容易にする任意の媒体を含むコンピュータ記憶媒体と通信媒体との両者を含む。記憶媒体は、汎用または専用コンピュータによってアクセスされ得る任意の利用可能な媒体であり得る。限定するのではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または命令またはデータ構造体の形をした所望のプログラムコード手段を伝達または記憶するために使用され得る、そして汎用または専用コンピュータによって、または汎用または専用プロセッサによってアクセスされ得る他の任意の媒体を備え得る。また如何なる接続手段も適切にコンピュータ可読媒体と呼ばれる。例えばもしソフトウェアがウェブサイトまたはサーバから、または同軸ケーブル、光ファイバケーブル、対より線、デジタル加入者線（ＤＳＬ）を使用する、または赤外線、無線およびマイクロ波といった無線技術を使用する他の遠隔情報源から送信されるならば、これらの同軸ケーブル、光ファイバケーブル、対より線、ＤＳＬは、または赤外線、無線およびマイクロ波といった無線技術は、媒体の定義に含まれる。本明細書で使用されるディスク（ｄｉｓｋ）およびディスク（ｄｉｓｃ）は、コンパクトディスク（ＣＤ）、レーザーディスク（登録商標）、光ディスク、デジタルバーサタイルディスク(digital versatile disc)（ＤＶＤ）、フロッピー（登録商標）ディスク、およびブルーレイディスクを含んでおり、ｄｉｓｋは通常データを磁気的に再生するのに対してｄｉｓｃはデータをレーザーで光学的に再生する。上記の組合せもコンピュータ可読媒体の範囲内に含まれるべきである。
【０１３６】
本開示の前述の説明は、当業者であれば如何なる人も本開示を実施または使用することを可能にするために提供されている。本開示に対する種々の修正は当業者にとって容易に明らかになるであろうし、また本明細書で定義された一般的原理は本開示の趣旨または範囲から逸脱せずに他の変形版に適用可能である。したがって本開示は、本明細書で説明された例および様式に限定されるように意図されておらず、本明細書で開示された原理および新規な特徴に合致する最も広い範囲と認められるべきである。
【図１】
2011518533.tif 000013
【図２】
2011518533.tif 000014
【図３】
2011518533.tif 000015
【図４】
2011518533.tif 000016
【図５】
2011518533.tif 000017
【図６】
2011518533.tif 000018
【図７】
2011518533.tif 000019
【図８】
2011518533.tif 000020
【図９】
2011518533.tif 000021
【図１０】
2011518533.tif 000022
【国際調査報告】
2011518533.tif 000023
2011518533.tif 000024
2011518533.tif 000025